(57)【要約】  電動移植機であって、前記電動移植機は、移植機装置（６１０）と前記移植機装置（６１０）に設けられる少なくとも１つの給電装置（６２０）を含み、前記給電装置（６２０）は給電本体（６２１）と前記給電本体（６２１）に接続する電池接続ユニット（６２２）を含み、前記移植機装置（６１０）は移植機本体（６１１）、移植機接続ユニット（６１２）及び少なくとも１つの収納本体（６１３）を含み、前記収納本体（６１３）は、前記移植機本体（６１１）に傾斜に設けられ、前記給電本体（６２１）は、前記収納本体（６１３）の収納空間に取り外し可能に設けられる。一度前記給電本体（６２１）の電気エネルギーが使い尽くされ、或いは損害されるとき、前記給電本体（６２１）を快速に交換することができ、それにより前記電動移植機は、持続的に使用される。
2019534693.tif 000002
【特許請求の範囲】
【請求項１】
傾斜電池ボックスを備える移植機であって、
移植機本体とエネルギー供給部を含み、
前記エネルギー供給部は、さらに、
電池本体を含む少なくとも１つの電池と、
電池ボックス本体を含む少なくとも１つの電池ボックスとを含み、
前記電池ボックス本体は、電池キャビティと前記電池キャビティに連通する電池キャビティ口を有し、前記電池ボックス本体は、前記移植機本体に傾斜に設けられ、かつ前記電池キャビティ口は、傾斜して上へ向けて、前記電池本体は、前記電池キャビティ口を介して前記電池ボックス本体の前記電池キャビティに分離可能に設けられ、かつ前記電池本体が前記電池ボックス本体の前記電池キャビティに保持されるとき、前記電池本体及び前記移植機本体の回路は導通接続されることを特徴とする移植機。
【請求項２】
前記電池ボックス本体の数は、１つであり、前記電池ボックス本体は、前記移植機本体の重心位置に傾斜に設けられ、それにより前記電池ボックス本体の前記電池キャビティ内に保持される前記電池本体が前記移植機本体の重心位置に位置することを特徴とする請求項１に記載の移植機。
【請求項３】
前記電池ボックス本体の数は、２つであり、２つの前記電池ボックス本体は、前記移植機本体の両側に傾斜かつ相互対称的に設けられ、かつ前記移植機本体の重心位置の両側に対称的に位置し、それにより各前記電池ボックス本体の前記電池キャビティ内に保持される２つの前記電池本体が前記移植機本体の重心位置の両側に位置することを特徴とする請求項１に記載の移植機。
【請求項４】
前記電池ボックスは、前記電池ボックス本体に設けられ、かつ前記移植機本体の回路に導通接続される電池ボックス接続部を含み、前記電池は、前記電池本体に導通接続される電池接続部を含み、前記電池本体が前記電池ボックス本体の前記電池キャビティに設けられるとき、前記電池接続部及び前記電池ボックス接続部は導通接続されることを特徴とする請求項１に記載の移植機。
【請求項５】
前記電池ボックス接続部は、前記電池ボックス本体の底部に設けられ、前記電池接続部は、前記電池本体の第１端部に設けられ、前記電池本体が前記電池ボックス本体の前記電池キャビティに設けられるとき、前記電池本体の前記第１端部に設けられる前記電池接続部及び前記電池ボックス本体の底部に設けられる前記電池ボックス接続部は、自動的に導通されることを特徴とする請求項４に記載の移植機。
【請求項６】
前記電池接続部は、前記電池本体の前記第１端部の中部に設けられ、前記電池ボックス接続部は、前記電池ボックス本体の底部の中部に設けられることを特徴とする請求項５に記載の移植機。
【請求項７】
前記エネルギー供給部は、さらに、少なくとも１つのロック部材を含み、前記ロック部材は、前記電池ボックス本体に取り外し可能に設けられ、それにより前記電池本体が前記電池ボックス本体の前記電池キャビティに設置し、及び前記ロック部材が前記電池ボックス本体に設けられるとき、前記ロック部材は、前記電池キャビティ口を減少して前記電池本体が前記電池キャビティ口を介して前記電池ボックス本体の前記電池キャビティから離脱することを防止することを特徴とする請求項５に記載の移植機。
【請求項８】
前記ロック部材は、可動棒を含み、前記電池ボックス本体の両側には、それぞれ挿通孔が設けられ、各前記挿通孔は、それぞれ前記電池キャビティに連通し、前記可動棒は、各前記挿通孔に取り外し可能に挿入して保持され、前記可動棒で前記電池キャビティ口のサイズを減少し、それにより前記可動棒を介して前記電池本体が前記電池キャビティ口を介して前記電池ボックス本体の前記電池キャビティから離脱することを防止することを特徴とする請求項７に記載の移植機。
【請求項９】
前記ロック部材は、可動棒と少なくとも１つのロック素子を含み、前記ロック素子は前記電池本体に設けられ、かつ前記ロック素子には、それぞれピンホールが設けられ、前記電池ボックス本体の両側には、それぞれ挿通孔が設けられ、前記電池本体が前記電池ボックス本体の前記電池キャビティに保持されるとき、各前記ロック素子の各前記ピンホールは、それぞれ前記電池ボックス本体の前記挿通孔に対応し、前記可動棒が各前記ロック素子の前記ピンホール及び前記電池ボックス本体の各前記挿通孔に保持され、それにより前記電池本体が前記電池ボックス本体の前記電池キャビティに揺れることを防止することを特徴とする請求項７に記載の移植機。
【請求項１０】
前記電池ボックスは、カバーを含み、前記カバーは、前記電池ボックス本体に可動に設けられ、それにより前記カバーを介して前記電池ボックス本体の前記電池キャビティ口を密閉させることを特徴とする請求項４に記載の移植機。
【請求項１１】
前記電池ボックスは、前記カバーと前記電池本体の第２端部との間に保持される少なくとも１つの弾性部品を含むことを特徴とする請求項１０に記載の移植機。
【請求項１２】
前記弾性部品は、前記カバーに設けられ、それにより前記弾性部品は前記カバーと前記電池本体の前記第２端部との間に保持されることを特徴とする請求項１１に記載の移植機。
【請求項１３】
前記弾性部品は、前記電池本体の前記第２端部に設けられ、それにより前記弾性部品は前記カバーと前記電池本体の前記第２端部との間に保持されることを特徴とする請求項１１に記載の移植機。
【請求項１４】
前記弾性部品は変形可能であることを特徴とする請求項１１に記載の移植機。
【請求項１５】
前記電池は、前記電池本体の第２端部に設けられるハンドルを含むことを特徴とする請求項１に記載の移植機。
【請求項１６】
前記電池は、前記電池本体の第２端部に設けられ、かつ前記電池本体に導通接続される少なくとも１つのインジケーターランプを含むことを特徴とする請求項１に記載の移植機。
【請求項１７】
前記電池は、それぞれ前記電池本体の底面に可動に設けられる少なくとも１つの摺動部材を含む請求項１に記載の移植機。
【請求項１８】
前記電池は、前記電池本体の第２端部に設けられ、かつ前記電池本体に導通接続される少なくとも１つの制御スイッチを含む請求項１に記載の移植機。
【請求項１９】
前記電池接続部は、それぞれ前記電池本体に設けられて導通接続される２つの電池接続ヘッドを含み、前記電池ボックス接続部は、それぞれ前記移植機本体の回路に導通接続される２つの電池接続口を含み、前記電池接続部の各前記電池接続ヘッドは、それぞれ、前記電池ボックス接続部の各前記電池接続口に分離可能に接続されることを特徴とする請求項４〜１４のいずれか一項に記載の移植機。
【請求項２０】
前記電池接続部は、それぞれ前記電池本体に導通接続される２つの電池接続口を含み、前記電池ボックス接続部は、それぞれ前記移植機本体の回路に設けられて導通接続される２つの電池接続ヘッドを含み、前記電池ボックス接続部の各前記電池接続ヘッドは、それぞれ前記電池接続部の各前記電池接続口に分離可能に接続されることを特徴とする請求項４〜１４のいずれか一項に記載の移植機。
【請求項２１】
前記電池接続部は、前記電池本体に固定される少なくとも１つの固定接続ヘッドを含み、前記電池ボックス接続部は、前記電池ボックス本体に設けられる少なくとも１つの固定接続口を含み、前記電池接続部の前記固定接続ヘッドは、前記電池ボックス接続部の前記固定接続口に分離可能に設けられることを特徴とする請求項１９に記載の移植機。
【請求項２２】
前記電池接続部は、前記電池本体に設けられる少なくとも１つの固定接続ヘッドを含み、前記電池ボックス接続部は、前記電池ボックス本体に設けられる少なくとも１つの固定接続口を含み、前記電池接続部の前記固定接続ヘッドは、前記電池ボックス接続部の前記固定接続口に分離可能に設けられることを特徴とする請求項２０に記載の移植機。
【請求項２３】
前記電池ボックス接続部は、前記電池ボックス本体に設けられる少なくとも１つの固定接続ヘッドを含み、前記電池接続部は、前記電池本体に設けられる少なくとも１つの固定接続口を含み、前記電池ボックス接続部の前記固定接続ヘッドは、前記電池接続部の前記固定接続口に分離可能に設けられる請求項１９に記載の移植機。
【請求項２４】
前記電池ボックス接続部は、前記電池ボックス本体に設けられる少なくとも１つの固定接続ヘッドを含み、前記電池接続部は、前記電池本体に設けられる少なくとも１つの固定接続口を含み、前記電池ボックス接続部の前記固定接続ヘッドは、前記電池接続部の前記固定接続口に分離可能に設けられることを特徴とする請求項２０に記載の移植機。
【請求項２５】
前記電池接続部は、前記電池本体に設けられて導通接続される少なくとも１つの検出接続ヘッドを含み、前記電池ボックス接続部は、前記電池ボックス本体に設けられる少なくとも１つの検出接続口を含み、前記電池接続部の前記検出接続ヘッドは、前記電池ボックス本体の前記検出接続口に分離可能に設けられることを特徴とする請求項１９に記載の移植機。
【請求項２６】
前記電池接続部は、前記電池本体に設けられて導通接続される少なくとも１つの検出接続ヘッドを含み、前記電池ボックス接続部は、前記電池ボックス本体に設けられる少なくとも１つの検出接続口を含み、前記電池接続部の前記検出接続ヘッドは、前記電池ボックス本体の前記検出接続口に分離可能に設けられることを特徴とする請求項２０に記載の移植機。
【請求項２７】
前記電池接続部は、前記電池本体に設けられて導通接続される少なくとも１つの検出接続ヘッドを含み、前記電池ボックス接続部は、前記電池ボックス本体に設けられる少なくとも１つの検出接続口を含み、前記電池接続部の前記検出接続ヘッドは、前記電池ボックス本体の前記検出接続口に分離可能に設けられる請求項２１に記載の移植機。
【請求項２８】
前記電池接続部は、前記電池本体に設けられて導通接続される少なくとも１つの検出接続ヘッドを含み、前記電池ボックス接続部は、前記電池ボックス本体に設けられる少なくとも１つの検出接続口を含み、前記電池接続部の前記検出接続ヘッドは、前記電池ボックス本体の前記検出接続口に分離可能に設けられることを特徴とする請求項２２に記載の移植機。
【請求項２９】
前記電池ボックス接続部は、前記電池ボックス本体に設けられる少なくとも１つの検出接続ヘッドを含み、前記電池接続部は、前記電池本体に設けられて導通接続される少なくとも１つの検出接続口を含み、前記電池ボックス本体の前記検出接続ヘッドは、前記電池本体の前記検出接続口に分離可能に設けられることを特徴とする請求項１９に記載の移植機。
【請求項３０】
前記電池ボックス接続部は、前記電池ボックス本体に設けられる少なくとも１つの検出接続ヘッドを含み、前記電池接続部は、前記電池本体に設けられて導通接続される少なくとも１つの検出接続口を含み、前記電池ボックス本体の前記検出接続ヘッドは、前記電池本体の前記検出接続口に分離可能に設けられる請求項２０に記載の移植機。
【請求項３１】
前記電池ボックス接続部は、前記電池ボックス本体に設けられる少なくとも１つの検出接続ヘッドを含み、前記電池接続部は、前記電池本体に設けられて導通接続される少なくとも１つの検出接続口を含み、前記電池ボックス本体の前記検出接続ヘッドは、前記電池本体の前記検出接続口に分離可能に設けられることを特徴とする請求項２１に記載の移植機。
【請求項３２】
前記電池ボックス接続部は、前記電池ボックス本体に設けられる少なくとも１つの検出接続ヘッドを含み、前記電池接続部は、前記電池本体に設けられて導通接続される少なくとも１つの検出接続口を含み、前記電池ボックス本体の前記検出接続ヘッドは、前記電池本体の前記検出接続口に分離可能に設けられることを特徴とする請求項２２に記載の移植機。
【請求項３３】
移植機であって、
移植機本体と、
エネルギー供給部とを含み、
前記エネルギー供給部は、さらに、
少なくとも１つのロック部材と、
電池本体と電池接続部を含み、前記電池接続部が前記電池本体に設けられ、かつ前記電池接続部が前記電池本体に導通接続される少なくとも１つの電池と、
電池ボックス本体と電池ボックス接続部を含み、前記電池ボックス本体が前記移植機本体に設けられ、前記電池ボックス接続部が前記電池ボックス本体に設けられ、かつ前記電池ボックス接続部が前記移植機本体の回路に導通接続され、前記電池ボックス本体が電池キャビティ及び前記電池キャビティに連通する電池キャビティ口を含み、前記電池本体が前記電池キャビティ口を介して前記電池キャビティに分離可能に設けられ、かつ前記電池本体が前記電池キャビティに保持されるとき、前記電池接続部が前記電池ボックス接続部に導通接続され、前記ロック部材が前記電池ボックスに分離可能に設けられ、前記電池キャビティ口を減少して前記電池本体が前記電池キャビティ口を介して前記電池キャビティから離脱することを防止する少なくとも１つの電池ボックスと、を含むことを特徴とする移植機。
【請求項３４】
前記ロック部材は、可動部材を含み、前記電池ボックス本体は２つの挿通孔を有し、各前記挿通孔は、それぞれ、前記電池ボックス本体の両側に前記電池キャビティに連通し、前記可動部材は、前記電池ボックス本体の各前記挿通孔に分離可能に保持されることを特徴とする請求項３３に記載の移植機。
【請求項３５】
前記ロック部材は、ピンホールを有し、前記電池本体に設けられる少なくとも１つのロック素子を含み、前記電池本体が前記電池キャビティに保持されるとき、前記ピンホールは、前記挿通孔に対応し、前記可動部材は、前記ピンホール及び前記挿通孔に保持されることを特徴とする請求項３４に記載の移植機。
【請求項３６】
移植機であって、
移植機本体と、
エネルギー供給部と、を含み、
前記エネルギー供給部は、さらに、電池本体と電池接続部を含み、前記電池接続部が前記電池本体に設けられ、かつ前記電池接続部が前記電池本体に導通接続される少なくとも１つの電池と、
電池ボックス本体、電池ボックス接続部及びカバーを含み、前記電池ボックス本体が前記移植機本体に設けられ、前記電池ボックス接続部が前記電池ボックス本体に設けられ、かつ前記移植機本体の回路に導通接続され、前記電池ボックス本体が電池キャビティ及び前記電池キャビティに連通する電池キャビティ口を有し、前記電池本体が前記電池キャビティ口を介して前記電池キャビティに分離可能に設けられ、かつ前記電池本体が前記電池キャビティに保持されるとき、前記電池接続部が前記電池ボックス接続部に導通接続され、前記カバーが前記電池ボックス本体に可動に設けられ、それにより前記カバーで前記電池ボックス本体の前記電池キャビティ口を密閉させる少なくとも１つの電池ボックスと、を含むことを特徴とする移植機。
【請求項３７】
前記カバーは、前記電池ボックス本体に軸接続することを特徴とする請求項３６に記載の移植機。
【請求項３８】
前記電池ボックスは、さらに、前記カバーと前記電池本体との間に保持される弾性部品を含むことを特徴とする請求項３６又は３７に記載の移植機。
【請求項３９】
前記弾性部品は前記カバーに設けられることを特徴とする請求項３８に記載の移植機。
【請求項４０】
前記弾性部品は、前記電池本体に設けられることを特徴とする請求項３８に記載の移植機。
【請求項４１】
前記弾性部品はスポンジ又はフォームである請求項３８に記載の移植機。
【請求項４２】
短絡防止な移植機であって、
固定部と、少なくとも１つの給電部とを含む移植機本体を含み、
各前記給電部は、前記移植機本体の回路に電気接続し、かつ前記固定部に設けられる導電部材と、
給電本体と通電部材を含み、前記通電部材が前記給電本体に電気接続し、前記給電本体が取付部を有し、前記通電部材が前記取付部に設けられる電源とを含み、
前記電源が前記固定部に取り付けられるとき、前記通電部材が前記導電部材に電気接続し、かつ前記通電部材及び前記導電部材が前記固定部と前記取付部との間に包覆されることを特徴とする短絡防止な移植機。
【請求項４３】
前記通電部材は、正極通電柱と負極通電柱を含み、前記取付部は、２つの収容溝を形成し、前記電源が前記固定部に取り付けられるとき、前記取付部における前記通電部材は、前記収容溝における前記導電部材に挿接されることを特徴とする請求項４２に記載の短絡防止な移植機。
【請求項４４】
前記取付部は、少なくとも１つの位置決めバンプを有し、前記固定部は少なくとも１つの位置決め溝を有し、前記電源が前記固定部に取りけられるとき、前記位置決めバンプは前記位置決め溝に挿接されることを特徴とする請求項４２に記載の短絡防止な移植機。
【請求項４５】
前記取付部は少なくとも１つの位置決めバンプを有し、前記固定部は少なくとも１つの位置決め溝を有し、前記電源が前記固定部に取り付けられるとき、前記位置決めバンプは前記位置決め溝に挿接されることを特徴とする請求項４３に記載の短絡防止な移植機。
【請求項４６】
前記取付部は、さらに、環状壁を有し、前記環状壁は絶縁空間を形成し、前記通電部材は前記絶縁空間に位置し、前記絶縁空間は開口を有し、前記固定部は環状溝を形成し、前記電源が前記固定部に取り付けられるとき、前記環状壁は前記環状溝に挿入され、前記開口は前記固定部にカバーされることを特徴とする請求項４２に記載の短絡防止な移植機。
【請求項４７】
前記固定部は、さらに延伸して側壁を形成し、前記固定部と前記側壁は開口を有する収容室を形成し、前記電源が前記固定部に取り付けられるとき、前記電源は前記収容室に収納されることを特徴とする請求項４２〜４６のいずれか一項に記載の短絡防止な移植機。
【請求項４８】
前記電源は、前記固定部に取り外し可能に取り付けられる請求項４７に記載の短絡防止な移植機。
【請求項４９】
前記電源は、前記給電本体に一体的に設けられる絶縁部を含み、前記側壁は突出部を有し、前記電源が前記固定部に取り付けられるとき、前記開口は前記絶縁部にカバーされることを特徴とする請求項４８に記載の短絡防止な移植機。
【請求項５０】
前記絶縁部は、頂部と前記頂部に沿って下へ延伸する側部を含み、前記頂部、前記側部及び前記給電本体は挿接溝を形成し、前記電源が前記固定部に置かれて取り付けられるとき、前記突出部は前記挿接溝に挿入されることを特徴とする請求項４９に記載の短絡防止な移植機。
【請求項５１】
前記短絡防止な移植機は、さらに、前記側壁に取り外し可能に取り付けられる蓋体を含み、前記蓋体が前記側壁に固定されるとき、前記開口は前記蓋体にカバーされることを特徴とする請求項４９に記載の短絡防止な移植機。
【請求項５２】
前記短絡防止な移植機は、さらに、前記移植機本体に回動可能に接続される蓋体を含むことを特徴とする請求項４９に記載の短絡防止な移植機。
【請求項５３】
前記蓋体は、蓋体部と前記蓋体部に一体的に延伸する周縁部を含み、前記蓋体が前記開口をカバーするとき、前記突出部は前記周縁部及び前記蓋体部に包覆されることを特徴とする請求項５１に記載の短絡防止な移植機。
【請求項５４】
前記蓋体は、蓋体部と前記蓋体部に一体的に延伸する周縁部とを含み、前記蓋体が前記開口をカバーするとき、前記突出部は前記周縁部及び前記蓋体部に包覆されることを特徴とする請求項５２に記載の短絡防止な移植機。
【請求項５５】
前記側壁には、少なくとも１つの排流口が開設されていることを特徴とする請求項４７に記載の短絡防止な移植機。
【請求項５６】
前記排流口は、前記側壁と前記固定部との間に設けられる請求項５５に記載の短絡防止な移植機。
【請求項５７】
前記取付部は凹溝を形成し、前記通電部材は前記取付部に設けられかつ前記凹溝に位置し、前記固定部は、さらに突起を形成し、前記導電部材は前記突起に設けられ、前記電源が前記固定部に取り付けられるとき、前記通電部材及び前記導電部材は前記固定部と前記取付部により前記凹溝に包覆されることを特徴とする請求項４２に記載の短絡防止な移植機。
【請求項５８】
前記短絡防止な移植機は、前記凹溝に設けられる弾性部材を含むことを特徴とする請求項５７に記載の短絡防止な移植機。
【請求項５９】
前記短絡防止な移植機は、前記挿接溝に設けられる弾性部材を含むことを特徴とする請求項４９に記載の短絡防止な移植機。
【請求項６０】
前記短絡防止な移植機は、前記蓋体の前記蓋体部及び前記周縁部に設けられる弾性部材を含むことを特徴とする請求項５３に記載の短絡防止な移植機。
【請求項６１】
前記電源は、前記給電本体の側面に設けられる位置制限部を含むことを特徴とする請求項４７に記載の短絡防止な移植機。
【請求項６２】
前記給電本体の頂面にはハンドルが設けられることを特徴とする請求項４２に記載の短絡防止な移植機。
【請求項６３】
前記電源は、少なくとも１つのピンホールが形成される少なくとも１つのピン部を含み、前記短絡防止な移植機はピン部材を含み、前記側壁の前記突出部は少なくとも２つの固定孔を有し、前記ピン体が操作された後に前記ピンホールと２つの前記固定孔を通過することを特徴とする請求項４９に記載の短絡防止な移植機。
【請求項６４】
短絡防止な移植機であって、
少なくとも１つの給電部と、
少なくとも１つの蓋体と、
移植機本体とを含み、
前記移植機本体は、少なくとも１つの固定部、少なくとも１つの側壁、少なくとも１つの収容室及び少なくとも１つの開口を含み、前記側壁は前記固定部に延伸して前記固定部と前記側壁との間に前記収容室を形成し、前記側壁は前記収容室を連通する前記開口を区画し、前記給電部は前記開口を介して前記収容室に取り外し可能に取り付けられ、かつ前記収容室に前記移植機本体の回路に導通接続されることができ、前記蓋体は前記側壁に可動に設けられ、前記蓋体を介して前記開口を密閉させ、それにより導電液体が前記開口を介して前記収容室に進入することを防止することを特徴とする短絡防止な移植機。
【請求項６５】
前記収容室は前記開口から上から下へ傾斜して延伸することを特徴とする請求項６４に記載の短絡防止な移植機。
【請求項６６】
前記蓋体は蓋体部と前記蓋体部の四周に一体的に延伸する周縁部とを含み、前記蓋体部は前記開口を密閉させ、前記周縁部は前記側壁の外部の一部を包覆することを特徴とする請求項６４に記載の短絡防止な移植機。
【請求項６７】
前記側壁と前記固定部との接続箇所の下側には少なくとも１つの排流口が設けられることを特徴とする請求項６４〜６６のいずれか一項に記載の短絡防止な移植機。
【発明の詳細な説明】
【技術分野】
【０００１】
本発明は、農業機械に関し、特に電動移植機に関する。
【背景技術】
【０００２】
移植機は、作物の苗を移植するための農業機械であり、従来の人工による作物の苗の移植方式を代わることができるので投入して使用されている。現在の移植機は、内燃機関を動力源として配置し、内燃機関が動力を提供するとき、ガソリンやディーゼルなどのオイルガスを消耗する必要があり、内燃機関の熱効率が比較的低く、移植機が使用される過程において、ガソリンやディーゼルなどのオイルガスが十分に燃焼することがしなく、かつ内燃機関のノイズが比較的大きく、それにより、現在の移植機は、多くの問題がある。まず、内燃機関のノイズが比較的大きく、移植機の操作者の聴力及び情緒に影響を与えやすく、特に操作者が長時間に移植機を操作するとき、操作者の情緒変動が比較的大きく、短気になりやすい。次に、内燃機関の熱効率が比較的低く、ガソリンやディーゼルの燃焼が不十分になり、それによりガソリンやディーゼルなどのオイルガスの浪費を引き起こす。また、十分に燃焼されないガソリンやディーゼルなどのオイルガスは、移植機の排出物として使用環境に直接的に排出され、植栽環境を汚染しやすく、特に移植機が温室環境などの相対的に密封される植栽環境に応用されるとき、空気の流動性が比較的悪くて排出物などの汚染物が長時間に温室環境に滞留され、作物の苗の成長環境にひどく汚染し、かつ温室環境における作業者の心身の健康に対して不良影響を与え、例えば、作業者が長時間に汚染された環境にあるとき、作業者の呼吸道、肺などの違和感乃至病害を引き起こす可能性がある。また、内燃機関を動力源として駆動される移植機は、複雑な伝動機構を介して動力を各機能部材に伝送する必要があり、現在の移植機が小型化されることができず、それにより、移植機は面積が比較的小さい植栽環境に便利に応用されることができず、移植機のコストが比較的高く、価格が高く、かつ後期のメンテナンス費用が高価であり、移植機は有効的に普及されることができない。電池の関連技術の快速発展に伴って、電池技術を移植機に応用して、及びこの過程における様々な問題を解決することは、急務である。
【発明の概要】
【発明が解決しようとする課題】
【０００３】
本発明は、前記給電装置が快速に交換され、それにより前記電動移植機が使用される過程において、前記給電装置の電力量が使い尽くされ、或いは前記給電装置が損害なので継続に使用できないとき、前記給電装置を快速に交換して、前記電動移植機が持続的に使用されることができる電動移植機を提供することを１つの目的としている。
【０００４】
本発明は、その移植機装置が移植機本体と前記移植機本体に傾斜に設けられる収納本体を含み、前記給電装置が前記収納本体の収納空間に取り外し可能に設けられる電動移植機を提供することを１つの目的としている。
【０００５】
本発明は、前記収納本体は傾斜に設けられ、それにより前記給電装置を前記収納本体の前記収納空間から取り出すとき、持ち上げえることにより前記給電装置を前記収納本体の前記収納空間から取り出すことではなく、前記給電装置を斜上方へ引っ張ることで完了し、前記給電装置を便利に交換し、前記給電装置を交換するときに労力を省く電動移植機を提供することを１つの目的としている。
【０００６】
本発明は、前記収納本体が傾斜に設けられ、それにより前記給電装置を交換する過程において、操作者は、片手で前記給電装置を僅かに前記収納本体の前記収納空間から引き出すとき、反対の手で前記給電装置の外壁下側を引っ張り、かつ２つの手がお互いに協力して前記給電装置に継続的に付勢して前記給電装置を前記収納本体の前記収納空間から取り出し、前記給電装置を交換するときに労力を省く電動移植機を提供することを１つの目的としている。
【０００７】
本発明は、前記収納本体が傾斜に設けられ、それにより前記給電装置を前記収納本体の前記収納空間から取り出す過程において、前記収納本体の内壁は、終始に前記給電装置を上へ支え、前記収納本体の内壁を介して前記給電装置の重力の一部を克服し、前記給電装置を前記収納本体の前記収納空間から容易かつ便利に取り出すことができる電動移植機を提供することを１つの目的としている。
【０００８】
本発明は、前記収納本体が傾斜に設けられ、それにより前記給電装置が前記収納本体の前記収納空間に置かれる過程において、前記給電装置の重力で前記給電装置が自動的に前記収納本体の前記収納空間に進入する傾向及び変位を有し、このように、操作者が付勢して前記給電装置を推進して前記収納本体の前記収納空間に進入させる電動移植機を提供することを１つの目的としている。
【０００９】
本発明は、前記収納本体が傾斜に設けられ、前記給電装置が前記収納本体の前記収納空間に置かれる過程において、前記給電装置の重力で前記給電装置をゆっくりと前記収納本体の前記収納空間に摺動させ、このように、前記給電装置の外壁と前記収納本体の内壁とが強烈な衝突を発生することを回避することができ、それにより前記給電装置の信頼性を保証する電動移植機を提供することを１つの目的としている。
【００１０】
本発明は、前記給電装置が給電本体と前記給電本体に設けられる少なくとも１つの摺動ユニットを含み、前記給電装置を交換する過程において(前記給電装置を前記収納本体の前記収納空間から取り出すときでも、前記給電装置を前記収納本体の前記収納空間に入れるときでも)、前記給電装置の前記摺動ユニットは、直接的に前記収納本体の内壁に接触し、それにより前記給電装置と前記収納本体の内壁との間の摩擦力を減少し、前記給電装置を便利に取り外し、或いは取り付ける電動移植機を提供することを１つの目的としている。
【００１１】
本発明は、前記給電装置の電池接続ユニットが前記給電本体の接続端に設けられ、前記移植機装置の移植機接続ユニットが前記収納本体に設けられ、前記給電装置が前記収納本体の前記収納空間に置かれるとき、前記電池接続ユニットが前記移植機接続ユニットに自動的に導通されることができ、即ち、操作者が手動で操作して前記移植機接続ユニットと前記電池接続ユニットを導通する必要がなく、前記給電装置の快速取り外しと交換を実現する電動移植機を提供することを１つの目的としている。
【００１２】
本発明は、前記収納本体が傾斜に設けられ、それにより前記電動移植機が振動するときでも、前記給電装置の重力で前記電池接続ユニットと前記移植機接続ユニットをお互いに導通する状態に保持し、前記電動移植機が使用されるときの信頼性を保証する電動移植機を提供することを１つの目的としている。
【００１３】
本発明は、前記電動移植機が移植機装置と少なくとも１つの給電装置を含み、前記給電装置の電池接続ユニットと前記移植機装置の移植機接続ユニットが信頼的に接続され、それにより前記電動移植機が使用されるとき、前記給電装置が前記移植機装置に対して持続かつ安定に給電することができ、前記電動移植機が使用されるときの信頼性を保証する電動移植機を提供することを１つの目的としている。
【００１４】
本発明は、前記移植機装置が収納本体を含み、前記移植機接続ユニットが前記収納本体に設けられ、前記給電装置の前記電池接続ユニットと前記移植機装置の前記移植機接続ユニットが前記収納本体の収納空間に導通され、このように、前記電池接続ユニットと前記移植機接続ユニットとの接続位置が露出されることを回避することができ、前記給電装置と前記移植機装置との導通関係の信頼性を保証する電動移植機を提供することを１つの目的としている。
【００１５】
本発明は、前記収納本体が傾斜に設けられ、かつ前記収納本体の開口が傾斜して上へ向けて、それにより前記給電装置が前記収納本体の前記収納空間に設けられるとき、前記給電装置自身の重力で前記電池接続ユニットと前記移植機接続ユニットとが信頼的に導通される電動移植機を提供することを１つの目的としている。
【００１６】
本発明は、前記移植機装置が保持ユニットを含み、前記保持ユニットが前記給電装置を前記収納本体の前記収納空間に信頼的に保持する電動移植機を提供することを１つの目的としている。
【００１７】
本発明は、前記保持ユニットが前記給電装置が前記収納本体の前記収納空間に揺れることを防止し、このような方式により、前記電動移植機が振動するとき、前記給電装置と前記移植機装置の振動が同期で、振動方向が同じであり、振幅が一致し、このように、前記電池接続ユニットと前記移植機接続ユニットとの接続関係の信頼性を保証することができる電動移植機を提供することを１つの目的としている。
【００１８】
本発明は、前記保持ユニットが前記給電装置の前記電池接続ユニットが前記移植機装置の前記移植機接続ユニットに対して運動することを防止し、このように、前記電池接続ユニットと前記移植機接続ユニットとの接続が緩むことを回避することができ、前記給電装置と前記移植機装置との接続関係の安定性を保証する電動移植機を提供することを１つの目的としている。
【００１９】
本発明は、前記保持ユニットが少なくとも１つの保持棒を含み、前記給電装置が前記収納本体の前記収納空間に設けられた後に、前記保持棒が前記収納本体の開口端に設けられ、前記保持棒が前記収納本体の開口を減少することで前記給電装置が前記収納本体の前記開口を介して前記収納空間から離脱することを防止する電動移植機を提供することを１つの目的としている。
【００２０】
本発明は、前記保持棒と前記給電装置の給電本体の操作端とがお互いに接触し、それにより前記給電装置が前記収納本体の前記収納空間に揺れる不良現象を回避し、このように、前記給電本体の外壁と前記収納本体の内壁とが衝突して異音を発生することを回避することができるだけでなく、前記電池接続ユニットと前記移植機接続ユニットとの接続箇所が緩むことを回避することもできる電動移植機を提供することを１つの目的としている。
【００２１】
本発明は、前記保持ユニットが蓋体を含み、前記給電装置が前記収納本体の前記収納空間に設けられた後に、前記蓋体が前記収納本体の前記開口を密閉させ、それにより前記蓋体は前記給電装置が前記収納本体の前記開口を介して前記収納空間から離脱する電動移植機を提供することを１つの目的としている。
【００２２】
本発明は、前記保持ユニットが少なくとも１つの緩衝部を含み、前記緩衝部が前記給電本体の前記操作端と前記蓋体との間に保持され、前記緩衝部を介して前記給電本体の前記操作端と前記蓋体との間に形成したスリットを充填し、このように、前記給電本体の前記操作端が前記蓋体に衝突して異音を発生することを回避することができるだけでなく、前記給電装置が前記収納本体の前記収納空間に揺れることを防止することもでき、それにより前記電池接続ユニットと前記移植機接続ユニットとの接続箇所が緩みなどの不良現象を発生することを回避することができる電動移植機を提供することを１つの目的としている。
【００２３】
本発明は、前記緩衝部が前記蓋体に設けられ、それにより前記蓋体が操作されて前記収納本体の前記開口を密閉するとき、前記緩衝部が自動的に前記給電本体の前記操作端と前記蓋体との間に保持される電動移植機を提供することを１つの目的としている。
【００２４】
本発明は、前記保持ユニットが保持機構を含み、前記保持機構が前記給電本体に設けられ、前記給電本体が前記収納本体の前記収納空間に保持されるとき、前記保持機構が自動的に前記収納本体をロックし、それにより前記給電本体が前記収納本体の前記収納空間に揺れることを回避する電動移植機を提供することを１つの目的としている。
【００２５】
本発明は、前記保持機構が少なくとも１つの保持部材を含み、前記保持部材がロックアップ状態とロック解除状態を有し、かつ前記保持部材が前記ロックアップ状態と前記ロック解除状態との間に切り替えることができ、前記給電本体が前記収納本体の前記収納空間に保持されるとき、前記保持部材が前記ロックアップ状態にあり、それにより前記給電本体が前記収納本体の前記収納空間に信頼的に保持され、前記給電本体を前記収納本体の前記収納空間から取り出す必要があるとき、前記保持部材が前記ロック解除状態にある電動移植機を提供することを１つの目的としている。
【００２６】
本発明は、前記保持機構が操作素子を含み、前記操作素子が前記保持部材の中部に設けられ、前記操作素子を持ち上げるとき、前記給電本体の重力で前記保持機構が前記操作素子により操作されて前記ロックアップ状態から前記ロック解除状態に切り替え、操作者が前記給電装置を前記収納本体の前記収納空間から取り出すことを容許し、前記給電本体が前記収納本体により支えられるとき、前記保持機構が自動的に前記ロック解除状態から前記ロックアップ状態に切り替え、前記保持機構が自動的に前記収納本体をロックする電動移植機を提供することを１つの目的としている。
【００２７】
本発明は、前記移植機が移植機本体と給電部を含み、前記給電部が電源と導電部材を含み、前記導電部材が前記移植機本体に電気接続され、前記電源が前記導電部材に電気接続されるとき、前記電源が前記移植機本体に対して電気エネルギーを提供する電動移植機を提供することを１つの目的としている。
【００２８】
本発明は、前記電源が給電本体と通電部材を含み、前記給電本体が取付部を有し、前記通電部材が前記取付部に設けられ、前記電源が前記固定部に取り付けられるとき、前記通電部材が前記導電部材に電気接続し、かつ前記通電部材及び前記導電部材が前記固定部と前記取付部との間に包覆され、導電液体が前記導電部材及び前記通電部材に接触することを回避し、短路現象の出現を回避する電動移植機を提供することを１つの目的としている。
【００２９】
本発明は、前記固定部がさらに延伸して側壁を形成し、前記固定部と前記側壁が収容室を形成し、前記収容室が開口を有し、前記電源が前記固定部に取り付けられるとき、前記電源が前記収容室に収納される電動移植機を提供することを１つの目的とする。
【００３０】
本発明は、前記電動移植機が蓋体を含み、前記蓋体が前記収容室の開口をカバーすることができるように設けられて導電液体が前記開口から前記收容器に進入することを回避する電動移植機を提供することを１つの目的としている。
【００３１】
本発明は、前記蓋体が前記移植機本体に回動可能に接続され、それにより前記蓋体が回動の方式で前記蓋体の開閉を調整する電動移植機を提供することを１つの目的としている。
【００３２】
本発明は、前記電動移植機が電気エネルギーにより駆動されることができ、汚染を減少し、コストを低下する電動移植機を提供することを１つの目的としている。
【００３３】
本発明は、前記電動移植機が少なくとも１つの電池により給電され、それにより前記電動移植機は外部電源がない環境で使用されることができる電動移植機を提供することを１つの目的としている。
【００３４】
本発明は、前記電動移植機の前記電池が交換されることができ、それにより、前記電動移植機は前記電池の電力量が使い尽くされ、或いは前記電池が故障するときに、正常なエネルギー供給を保持することができ、それにより前記電動移植機が長時間に使用されることができる電動移植機を提供することを１つの目的としている。
【００３５】
本発明は、前記電動移植機の前記電池が前記電動移植機に傾斜に設けられることにより前記電池を便利に取り付け、或いは取り外すことができる電動移植機を提供することを１つの目的としている。
【００３６】
本発明は、前記電動移植機がさらに少なくとも１つの電池ボックスを含み、前記電池を収納し、前記電池ボックスが前記電動移植機に傾斜に設けられて前記電池が前記電池ボックスに傾斜に収納される電動移植機を提供することを１つの目的としている。
【００３７】
本発明は、前記電動移植機の前記電池ボックスが作業平面と上への傾斜角を成し、前記電池を取り付け、或いは交換するときでも、作業平面と傾斜状態を呈し、それにより前記電池が重力作用で前記電池ボックスの底部に自動的に達することができる電動移植機を提供することを１つの目的としている。
【００３８】
本発明は、前記電動移植機の前記電池が前記電池ボックスに取り付けられた後、前記電池が前記電動移植機の回路に自動的に導通することができ、それにより前記電動移植機に対してエネルギーを提供する電動移植機を提供することを１つの目的としている。
【００３９】
本発明は、前記電動移植機が使用されると同時に振動を発生するとき、前記電池がオン状態に保持されて前記電動移植機に対して安定にエネルギーを供給することができる電動移植機を提供することを１つの目的としている。
【００４０】
本発明は、前記電動移植機の前記電池ボックスが電池キャビティを有し、それにより前記電池が前記電池ボックスの前記電池キャビティに収納されると共に、前記電池の外側が前記電池キャビティ口に固定され、前記電池が前記電池キャビティから滑り出すことを回避する電動移植機を提供することを１つの目的としている。
【００４１】
本発明は、前記電動移植機の前記電池ボックスがカバーを含み、それにより前記電池が収納されるとき、前記電池が前記電池キャビティに保持され、落とすことを回避し、或いは外界の汚染物が前記電池キャビティに進入することを回避する電動移植機を提供することを１つの目的としている。
【００４２】
本発明は、前記電動移植機の前記電池ボックスがさらに前記カバーの内側に設けられる弾性部品を含み、それにより前記電池キャビティに収納された前記電池に対して衝撃吸収及び保護作用を発揮する電動移植機を提供することを１つの目的としている。
【００４３】
本発明は、前記電動移植機の前記電池には少なくとも１つの摺動部材が設けられ、それにより前記電池が前記電池ボックスから便利に引き出すことができ、つまり、前記電池が前記電池ボックスから取り出し、或いは前記電池を前記電池ボックスに入れるとき、前記電池と前記電池ボックスの内壁とが転がり接触し、それにより前記電池に対する摩擦を減少することができるだけでなく、前記電池を前記電池ボックスから取り出し、或いは前記電池を前記電池ボックスに入れやすい電動移植機を提供することを１つの目的としている。
【課題を解決するための手段】
【００４４】
本発明の一形態によれば、
移植機本体と
エネルギー供給部を含み、
前記エネルギー供給部は、さらに、
電池本体を含む少なくとも１つの電池と、
電池ボックス本体を含む少なくとも１つの電池ボックスと、を含み、前記電池ボックス本体は、電池キャビティと前記電池キャビティに連通する電池キャビティ口を含み、前記電池ボックス本体は前記移植機本体に傾斜に設けられ、かつ前記電池キャビティ口は傾斜して上へ向けて、前記電池本体は、前記電池キャビティ口から前記電池ボックス本体の前記電池キャビティに分離可能に設けられ、かつ前記電池本体が前記電池ボックス本体の前記電池キャビティに支持されるとき、前記電池本体及び前記移植機本体の回路は導通接続される傾斜電池ボックスを有する移植機を提供する。
【００４５】
本発明の別の形態によれば、
移植機本体と、
エネルギー供給部を含み、
前記エネルギー供給部は、さらに、
少なくとも１つのロック部材と、
電池本体と電池接続部を含み、前記電池接続部が前記電池本体に設けられ、かつ前記電池接続部が前記電池本体に導通接続される少なくとも１つの電池と、
電池ボックス本体と電池ボックス接続部を含む少なくとも１つの電池ボックスを含み、前記電池ボックス本体が前記移植機本体に設けられ、前記電池ボックス接続部が前記電池ボックス本体に設けられ、かつ前記電池ボックス接続部が前記移植機本体の回路に導通接続され、前記電池ボックス本体が電池キャビティ及び前記電池キャビティに連通する電池キャビティ口を含み、前記電池本体が前記電池キャビティ口から前記電池キャビティに分離可能に設けられ、かつ前記電池本体が前記電池キャビティに保持されるとき、前記電池接続部が前記電池ボックス接続部に導通接続され、前記ロック部材が前記電池ボックスに分離可能に設けられ、前記電池キャビティ口を減少して、前記電池本体が前記電池キャビティ口を介して前記電池キャビティから離脱することを防止する移植機を提供する。
【００４６】
本発明の別の形態によれば、
移植機本体と、
エネルギー供給部を含み、前記エネルギー供給部は、さらに、
電池本体と電池接続部を含み、前記電池接続部が前記電池本体に設けられ、かつ前記電池接続部が前記電池本体に導通接続される少なくとも１つの電池と、
電池ボックス本体、電池ボックス接続部及びカバーを含み、前記電池ボックス本体が前記移植機本体に設けられ、前記電池ボックス接続部が前記電池ボックス本体に設けられ、かつ前記移植機本体の回路に導通接続され、前記電池ボックス本体は、電池キャビティ及び前記電池キャビティを連通する電池キャビティ口を有し、前記電池本体が前記電池キャビティ口を介して前記電池キャビティに分離可能に設けられ、かつ前記電池本体が前記電池キャビティに保持されるとき、前記電池接続部は前記電池ボックス接続部に導通接続され、前記カバーは前記電池ボックス本体に可動に設けられ、それにより前記カバーで前記電池ボックス本体の前記電池キャビティ口を密閉させる少なくとも１つの電池ボックスと、を含むことを特徴とする移植機を提供する。
【００４７】
本発明の別の形態によれば、
固定部と、
少なくとも１つの給電部を含む移植機本体を含み、
各前記給電部は、
前記移植機本体の回路に電気接続し、かつ前記固定部に設けられる導電部材と、
給電本体と通電部材を含み、前記通電部材が前記給電本体に電気接続し、前記給電本体が取付部を有し、前記通電部材が前記取付部に設けられる電源と、を含み、
前記電源が前記固定部に取り付けられるとき、前記通電部材が前記導電部材に電気接続し、かつ前記通電部材及び前記導電部材が前記固定部と前記取付部との間に包覆される短絡防止な移植機を提供する。
【００４８】
本発明の別の形態によれば、
少なくとも１つの給電部と、
少なくとも１つの蓋体と、
移植機本体とを含み、
前記移植機本体は、少なくとも１つの固定部、少なくとも１つの側壁、少なくとも１つの収容室及び少なくとも１つの開口を含み、前記側壁は前記固定部に延伸して前記固定部と前記側壁との間に前記収容室を形成し、前記側壁は、前記収容室を連通する前記開口を区画し、前記給電部は前記開口から前記収容室に取り外し可能に取り付けられ、かつ前記給電部は前記収容室に前記移植機本体の回路に導通接続され、前記蓋体は前記側壁に可動に設けられ、前記蓋体を介して前記開口を密閉させ、それにより導電液体が前記開口から前記収容室に進入することを防止する短絡防止な移植機を提供する。
【図面の簡単な説明】
【００４９】
【図１】図１は、本発明による好適な実施例の電動移植機の斜視模式図である。
【図２Ａ】図２Ａは、本発明による上記好適な実施例の前記電動移植機の一変形実施形態の斜視模式図である。
【図２Ｂ】図２Ｂは、本発明による上記好適な実施例の前記電動移植機の側面模式図である。
【図３】図３は、本発明による上記好適な実施例の前記電動移植機の給電装置、収納本体及び移植機接続ユニットの関係の斜視模式図である。
【図４】図４は、本発明による上記好適な実施例の前記電動移植機の給電装置、収納本体及び移植機接続ユニットの関係の断面模式図である。
【図５Ａ】図５Ａは、本発明による上記好適な実施例の前記電動移植機の収納本体と移植機接続ユニットの組合せ状態のある視角の斜視模式図である。
【図５Ｂ】図５Ｂは、本発明による上記好適な実施例の前記電動移植機の収納本体と移植機接続ユニットの組合せ状態の別の視角の斜視模式図である。
【図６Ａ】図６Ａは、本発明による上記好適な実施例の前記電動移植機の給電装置のある視角の斜視模式図である。
【図６Ｂ】図６Ｂは、本発明による上記好適な実施例の前記電動移植機の給電装置の別の視角の斜視模式図である。
【図７Ａ】図７Ａは、本発明による上記好適な実施例の前記電動移植機の給電装置、収納本体及び移植機接続ユニットの断面模式図であり、給電装置が収納本体の収納空間に設けられる過程を模式的に示す。
【図７Ｂ】図７Ｂは、本発明による上記好適な実施例の前記電動移植機の給電装置、収納本体及び移植機接続ユニットの断面模式図であり、給電装置が収納本体の収納空間に設けられる過程を模式的に示す。
【図８Ａ】図８Ａは、本発明による上記好適な実施例の前記電動移植機の給電装置、収納本体及び移植機接続ユニットの断面模式図であり、給電装置が収納本体の収納空間から取り出される過程を模式的に示す。
【図８Ｂ】図８Ｂは、本発明による上記好適な実施例の前記電動移植機の給電装置、収納本体及び移植機接続ユニットの断面模式図であり、給電装置が収納本体の収納空間から取り出される過程を模式的に示す。
【図９】図９は、本発明による上記好適な実施例の前記電動移植機の給電装置、収納本体及び保持ユニットの関係の一変形例の断面模式図である。
【図１０】図１０は、本発明による上記好適な実施例の前記電動移植機の給電装置、収納本体及び保持ユニットの関係の上記変形実施形態の斜視模式図である。
【図１１】図１１は、本発明による上記好適な実施例の前記電動移植機の給電装置、収納本体及び保持ユニットの関係の別の変形実施形態の斜視模式図である。
【図１２】図１２は、本発明による上記好適な実施例の前記電動移植機の給電装置、収納本体及び保持ユニットの関係の上記変形実施形態の分解模式図である。
【図１３】図１３は、本発明による上記好適な実施例の前記電動移植機の給電装置、収納本体及び保持ユニットの関係の上記変形実施形態の断面模式図である。
【図１４Ａ】図１４Ａは、本発明による上記好適な実施例の前記電動移植機の保持部材がロックアップ状態からロック解除状態に切り替える過程の模式図である。
【図１４Ｂ】図１４Ｂは、本発明による上記好適な実施例の前記電動移植機の保持部材がロックアップ状態からロック解除状態に切り替える過程の模式図である。
【図１５Ａ】図１５Ａは、本発明による上記好適な実施例の前記電動移植機の保持部材がロック解除状態からロックアップ状態に切り替える過程の模式図である。
【図１５Ｂ】図１５Ｂは、本発明による上記好適な実施例の前記電動移植機の保持部材がロック解除状態からロックアップ状態に切り替える過程の模式図である。
【図１６Ａ】図１６Ａは、本発明による好適な実施例の移植機の斜視模式図である。
【図１６Ｂ】図１６Ｂは、本発明による別の好適な実施例の移植機の斜視模式図である。
【図１７】図１７は、本発明による上記好適な実施例の移植機の電池ボックス及び電池部位についての分解模式図である。
【図１８Ａ】図１８Ａは、本発明による上記好適な実施例の移植機の電池ボックス及び電池部位についての別の変形実施例の斜視模式図である。
【図１８Ｂ】図１８Ｂは、本発明による上記好適な実施例の移植機の電池ボックス及び電池部位についての別の変形実施例の斜視模式図である。
【図１９】図１９は、本発明による上記好適な実施例の移植機の電池ボックス及び電池部位についての別の変形実施例の斜視模式図である。
【図２０】図２０は、本発明による上記好適な実施例の移植機の電池ボックス及び電池部位についての別の変形実施例の斜視模式図である。
【図２１Ａ】図２１Ａは、本発明による上記好適な実施例の移植機の電池ボックス及び電池部位についての別の変形実施例の斜視模式図である。
【図２２Ｂ】図２２Ｂは、本発明による上記好適な実施例の移植機の電池ボックス及び電池部位についての別の変形実施例の斜視模式図である。
【図２３】図２３は、本発明の短絡防止な移植機の模式図である。
【図２４】図２４は、本発明の一実施例における短絡防止な移植機の断面図である。
【図２５】図２５は、本発明の第２実施例における短絡防止な移植機の一部模式図である。
【図２６】図２６は、本発明の第２実施例における短絡防止な移植機の一実施例の断面図である。
【図２７】図２７は、本発明の短絡防止な移植機の第１変形実施例の断面図である。
【図２８】図２８は、本発明の短絡防止な移植機の第２実施例の断面図である。
【発明を実施するための形態】
【００５０】
下記説明によれば、当業者は、本発明を製造して使用することができる。以下の説明に提供される好適な実施例は、当業者にとっては明らかな例示及び修正のみであり、本発明の範囲を制限しない。以下の説明に定義される一般原理は、本発明の精神及び発明の範囲を逸脱しない範囲にそのほかの実施例に適応でき、選択的に置換、修正、同等実施及び応用することができる。
【００５１】
以下、図１〜図８Ｂを参照しながら、本発明による好適な実施例の電動移植機を説明する。前記電動移植機は、移植機装置６１０と少なくとも１つの給電装置６２０を含み、前記給電装置６２０は前記移植機装置６１０に設けられ、前記給電装置６２０を介して前記移植機装置６１０に電気エネルギーを提供して前記移植機装置６１０を駆動して作動させる。
【００５２】
好ましくは、前記給電装置６２０は、前記移植機装置６１０に取り外し可能に設けられ、それにより前記電動移植機が使用される過程において、前記給電装置６２０の電気エネルギーが使い尽くされ、或いは前記給電装置６２０が損害されるとき、前記給電装置６２０をタイムリーに交換して前記移植機装置６１０の作動状態を維持することができる。
【００５３】
また、前記給電装置６２０の数は、本発明に係る電動移植機において制限されず、例えば、図１に示した前記電動移植機の例示において、前記給電装置６２０の数は、２つであってもよく、かつ前記給電装置６２０の数が２つとして実施されるとき、２つの前記給電装置６２０は、前記移植機装置６１０の両側に対称的に保持され、それにより、前記移植機装置６１０の安定性をより良好にし、操作者が前記電動移植機を操作しやすい。図２Ａ及び図２Ｂに示した前記電動移植機の例示において、前記給電装置６２０の数は、１つとして実施されることもできる。好ましくは、前記給電装置６２０の数が１つとして実施されるとき、前記給電装置６２０は前記移植機装置６１０の重心位置に保持されて前記電動移植機に良好なバランス性を有させることができる。
【００５４】
また、図１、図２Ａ及び図２Ｂに示した前記電動移植機は、例示のみであり、前記電動移植機のほかの例示において、前記給電装置６２０の数は２つを超えることができ、また、前記給電装置６２０は、前記移植機装置６１０のほかの位置に保持されることができ、本発明に係る電動移植機は、この点で制限されていない。そのため、図１、図２Ａ及び図２Ｂに示した前記電動移植機は、例示的なものであり、本発明に係る電動移植機の内容及び範囲を制限しない。
【００５５】
次に、前記給電装置６２０の数は、１つとして実施され、かつ前記給電装置６２０は、好ましくは、前記移植機装置６１０の重心位置に設けられることを例として、本発明に係る電動移植機の特徴及びメリットをさらに説明する。
【００５６】
図２Ａ〜図６Ｂに示すように、前記移植機装置６１０は、移植機本体６１１、収納本体６１３及び少なくとも１つの保持ユニット６１４を含み、前記収納本体６１３は、前記移植機本体６１１に設けられ、かつ前記収納本体６１３は収納空間６１３１と開口６１３２を有し、前記開口６１３２は前記収納空間６１３１に連通し、前記給電装置６２０は前記開口６１３２を介して前記収納本体６１３の前記収納空間６１３１に取り外し可能に設けられ、前記保持ユニット６１４は前記収納本体６１３の前記開口６１３２に保持されて、前記給電装置６２０が前記収納本体６１３の前記開口６１３２を介して前記収納空間６１３１から離脱することを防止し、それにより前記電動移植機が使用される信頼性を保証する。
【００５７】
さらに、前記給電装置６２０を交換する必要があるとき、まず、前記保持ユニット６１４を前記収納本体６１３の前記開口６１３２の位置から取り除き、或いは前記保持ユニット６１４の前記収納本体６１３の前記開口６１３２の位置における状態を変更し、その後に前記給電装置６２０を前記収納本体６１３の前記開口６１３２を介して前記収納空間６１３１から取り出す。前記給電装置６２０が前記収納本体６１３の前記開口６１３２を介して前記収納本体６１３の前記収納空間６１３１に取り付けられた後に、前記保持ユニット６１４は前記収納本体６１３の前記開口６１３２箇所に保持され、或いは前記保持ユニット６１４の前記収納本体６１３の前記開口６１３２の位置における状態を変更し、それにより前記保持ユニット６１４を介して前記給電装置６２０が前記収納本体６１３の前記収納空間６１３１に保持される。また、前記給電装置６２０が前記収納本体６１３の前記収納空間６１３１に保持されるとき、前記給電装置６２０と前記移植機装置６１０の前記移植機本体６１１の回路は導通され、前記給電装置６２０は電気エネルギーを前記移植機本体６１１に供給することができ、それにより、その後に前記移植機本体６１１は電気エネルギーを運動エネルギーに変換して動力を発生することができる。
【００５８】
具体的には、図２Ａ及び図２Ｂに示すように、前記移植機本体６１１は、フレーム６１１１、１組の走行機構６１１２、伝動機構６１１３、移植機構６１１４及びモータ６１１５を含み、前記走行機構６１１２、前記伝動機構６１１３、前記移植機構６１１４、前記モータ６１１５及び前記収納本体６１３は、それぞれ、前記移植機本体６１１の前記フレーム６１１１に設けられ、前記モータ６１１５は、前記移植機本体６１１の回路に導通接続され、前記伝動機構６１１３は、前記モータ６１１５に駆動可能に設けられ、前記走行機構６１１２及び前記移植機構６１１４は、前記伝動機構６１１３に駆動可能に設けられる。前記給電装置６２０が前記収納本体６１３の前記収納空間６１３１に保持されるとき、前記移植機本体６１１の回路に導通接続される前記給電装置６２０と前記移植機本体６１１の回路に導通接続される前記モータ６１１５は導通接続され、それにより、前記給電装置６２０が電気エネルギーを前記モータ６１１５に供給した後に、前記モータ６１１５は、電気エネルギーを運動エネルギーに変換して動力を発生することができ、該動力は、前記伝動機構６１１３によりそれぞれ前記走行機構６１１２及び前記移植機構６１１４に伝送することにより、前記走行機構６１１２及び前記移植機構６１１４を駆動して作動させる。
【００５９】
好ましくは、前記収納本体６１３の数は、１つとして実施されるとき、前記収納本体６１３は前記移植機本体６１１の重心位置に設けられ、それにより前記収納本体６１３の前記収納空間６１３１に保持される前記給電装置６２０は前記移植機本体６１１の重心位置に保持されることができる。前記収納本体６１３の数は、２つとして実施されるとき、２つの前記収納本体６１３が前記移植機本体６１１の重心位置の両側に対称的に設けられ、それによりそれぞれ各前記収納本体６１３の前記収納空間６１３１に保持される２つの前記給電装置６２０は前記移植機本体６１１の重心位置の両側に対称的に保持されることができる。このような方式により、前記電動移植機の各位置の重量が合理であることを保証し、他方、前記電動移植機がバランスを保持しやすく、さらに、前記電動移植機を操作しやすく、特に前記電動移植機を歩行の方式で操作しやすい。例えば、前記フレーム６１１１は、相互対称なハンドルを形成することができ、ハンドルにより前記電動移植機を操作して走行、操舵などを行うことができる。
【００６０】
図５Ａ及び図５Ｂに示すように、前記移植機装置６１０は、さらに、少なくとも１つの移植機接続ユニット６１２を含み、前記移植機接続ユニット６１２は前記移植機本体６１１の回路に導通接続される。図６Ａ及び図６Ｂに示すように、前記給電装置６２０は、給電本体６２１と電池接続ユニット６２２を含み、前記電池接続ユニット６２２は前記給電本体６２１に導通接続される。前記給電本体６２１が前記収納本体６１３の前記開口６１３２を介して前記収納本体６１３の前記収納空間６１３１に収納されるとき、前記給電装置６２０の前記電池接続ユニット６２２と前記移植機装置６１０の前記移植機接続ユニット６１２は、導通されることができ、それにより前記給電本体６２１は電気エネルギーを前記電池接続ユニット６２２、前記移植機接続ユニット６１２及び前記移植機本体６１１の回路を介して前記モータ６１１５に供給することができる。
【００６１】
好ましくは、前記給電本体６２１が前記収納本体６１３の前記開口６１３２を介して前記収納本体６１３の前記収納空間６１３１に収納させるとき、前記給電装置６２０の前記電池接続ユニット６２２と前記移植機装置６１０の前記移植機接続ユニット６１２は自動的に導通されることができ、及び前記給電本体６２１が前記収納本体６１３の前記開口６１３２を介して前記収納本体６１３の前記収納空間６１３１から取り出されるとき、前記給電装置６２０の前記電池接続ユニット６２２及び前記移植機装置６１０の前記移植機接続ユニット６１２は、自動的に切断されることができ、それにより前記給電装置６２０を交換しやすい。
【００６２】
さらに、前記給電本体６２１の類型は、本発明に係る電動移植機において制限されず、例えば、前記給電本体６２１は、リチウム電池として実施されることができるが、それに限定されていない。
【００６３】
具体的には、図５Ａ〜図６Ｂに示すように、前記収納本体６１３は、取付端６１３３と前記取付端６１３３に対応する開口端６１３４を有し、前記収納空間６１３１は前記開口端６１３４から前記取付端６１３３が位置する方向へ延伸し、前記開口６１３２は前記開口端６１３４に形成し、即ち、前記開口６１３２は前記開口端６１３４において前記収納空間６１３１に連通する。前記移植機接続ユニット６１２は前記収納本体６１３の前記取付端６１３３に設けられ、かつ前記移植機接続ユニット６１２は前記収納本体６１３の外部から前記収納本体６１３の前記収納空間６１３１まで延伸する。前記給電本体６２１は操作端６２１１と前記操作端６２１１に対応する接続端６２１２を有し、前記電池接続ユニット６２２は前記給電本体６２１の前記接続端６２１２に設けられる。前記給電装置６２０を前記移植機装置６１０の前記収納本体６１３の前記収納空間６１３１に取り付けるとき、まず、前記給電本体６２１の前記接続端６２１２が前記収納本体６１３の前記収納空間６１３１に入れるように、前記給電本体６２１は前記収納本体６１３の前記収納空間６１３１に設けられ、それにより、前記給電本体６２１が前記収納本体６１３の前記収納空間６１３１に保持されるとき、前記電池接続ユニット６２２と前記移植機接続ユニット６１２は、自動的に導通され、それにより前記給電装置６２０の快速交換を実現する。
【００６４】
好ましくは、前記収納本体６１３は、前記移植機本体６１１に傾斜に設けられ、例えば前記収納本体６１３は前記移植機本体６１１の前記フレーム６１１１に傾斜に設けられ、具体的には、前記収納本体６１３の前記取付端６１３３は、前記移植機本体６１１の前記フレーム６１１１に設けられ、かつ前記収納本体６１３の前記開口６１３２は傾斜して上へ向け、このような方式により、前記給電装置６２０を前記移植機装置６１０の前記収納本体６１３の前記収納空間６１３１に取り付けるとき、まず、前記給電本体６２１の前記接続端６２１２が前記収納本体６１３の前記収納空間６１３１に入れるように、前記給電本体６２１は前記収納本体６１３の前記収納空間６１３１に設けられ、それにより前記給電本体６２１が前記収納本体６１３の前記収納空間６１３１に保持されるとき、前記給電本体６２１の重力なので、前記電池接続ユニット６２２と前記移植機接続ユニット６１２は自動的に導通され、それにより前記給電装置６２０の快速交換を実現する。
【００６５】
さらに、前記電池接続ユニット６２２は、少なくとも１つの電池導通素子６２２１を含み、各前記電池導通素子６２２１は、それぞれ前記移植機接続ユニット６１２に導通接続され、かつ各前記電池導通素子６２２１は、それぞれ前記移植機接続ユニット６１２の前記接続端６２１２に設けられる。相応的には、前記移植機接続ユニット６１２は、少なくとも１つの移植機導通素子６１２１を含み、各前記移植機導通素子６１２１は、それぞれ、前記移植機本体６１１の回路に導通接続され、各前記移植機導通素子６１２１は、それぞれ前記収納本体６１３に設けられ、かつ各前記移植機導通素子６１２１は、それぞれ前記収納本体６１３の前記収納空間６１３１に収納される。前記移植機接続ユニット６１２は前記収納本体６１３の前記収納空間６１３１に収納されるとき、前記電池導通素子６２２１と前記移植機導通素子６１２１は自動的に導通されることができ、それにより前記移植機接続ユニット６１２は、前記移植機本体６１１に電気エネルギーを提供することができる。
【００６６】
本発明に係る電動移植機の一実施例において、前記電池導通素子６２２１は、凹溝式導通素子として実施され、それにより前記給電装置６２０が前記移植機装置６１０から取り外されるとき、前記電池導通素子６２２１は隠し型であり、前記給電装置６２０を移動するとき、前記電池導通素子６２２１に触れることを回避する。前記移植機導通素子６１２１は、突出式導通素子として実施され、それにより前記移植機導通素子６１２１が前記電池導通素子６２２１に挿入して保持されるように、前記電池導通素子６２２１と前記移植機導通素子６１２１は導通されることができる。本発明に係る電動移植機の他の実施例において、前記電池導通素子６２２１は、突出式導通素子として実施され、前記移植機導通素子６１２１は、凹溝式導通素子として実施されてもよく、それにより、前記電池導通素子６２２１が前記移植機導通素子６１２１に挿入して保持されるように、前記電池導通素子６２２１と前記移植機導通素子６１２１は導通されることができる。それでも、前記電池導通素子６２２１と前記移植機導通素子６１２１は、他の実施形態を有することができ、本発明に係る電動移植機はこの点で制限されていない。
【００６７】
また、前記電池接続ユニット６２２は、電池検出インタフェース６２２２を含み、前記電池検出インタフェース６２２２は、前記移植機接続ユニット６１２に導通接続され、かつ前記電池検出インタフェース６２２２は前記移植機接続ユニット６１２の前記接続端６２１２に設けられる。相応的には、前記移植機接続ユニット６１２は、移植機検出インタフェース６１２２を含み、前記移植機検出インタフェース６１２２は前記収納本体６１３に設けられ、かつ前記移植機検出インタフェース６１２２は前記収納本体６１３の前記収納空間６１３１に収納される。前記移植機接続ユニット６１２が前記収納本体６１３の前記収納空間６１３１に収納されるとき、前記電池検出インタフェース６２２２と前記移植機検出インタフェース６１２２は自動的に導通されることができる。好ましくは、前記電池検出インタフェース６２２２は前記電池導通素子６２２１の付近に設けられ、前記移植機検出インタフェース６１２２は前記移植機導通素子６１２１の付近に設けられる。
【００６８】
さらに、前記電池接続ユニット６２２の前記電池検出インタフェース６２２２と前記移植機接続ユニット６１２の前記移植機検出インタフェース６１２２は、その類型が本発明に係る電動移植機において制限されず、前記移植機接続ユニット６１２が前記収納本体６１３の前記収納空間６１３１に収納された後にお互いに導通さればよい。
【００６９】
また、前記電動移植機は、さらに位置決め部６３０を含み、前記位置決め部６３０は、少なくとも１つの位置決め素子６３１及び少なくとも１つの位置決め空間６３２を含み、前記位置決め素子６３１は前記移植機接続ユニット６１２の前記接続端６２１２に設けられ、前記位置決め空間６３２は前記収納本体６１３に設けられ、前記移植機接続ユニット６１２が前記収納本体６１３の前記収納空間６１３１に保持された後に、前記位置決め素子６３１は、前記位置決め空間６３２に位置決めして前記移植機接続ユニット６１２が前記収納本体６１３の前記収納空間６１３１に揺れることを防止することができ、このような方式により、前記電池接続ユニット６２２と前記移植機接続ユニット６１２の接続箇所が緩むことを防止することができ、それにより前記電池接続ユニット６２２と前記移植機接続ユニット６１２の導通関係の信頼性を保証する。好ましくは、前記位置決め素子６３１は前記電池導通素子６２２１と相隣し、前記位置決め空間６３２は前記移植機導通素子６１２１と相隣する。
【００７０】
また、本発明に係る電動移植機のほかの例示において、前記位置決め素子６３１は前記収納本体６１３に設けられ、前記位置決め空間６３２は前記移植機接続ユニット６１２の前記接続端６２１２に設けられることができる。
【００７１】
図５Ａ〜図６Ｂに示すように、前記給電装置６２０は、さらに、少なくとも１つの摺動ユニット６２３を含み、前記摺動ユニット６２３は、前記給電本体６２１に可動に設けられ、前記収納本体６１３の前記開口６１３２を介して前記給電装置６２０を前記収納本体６１３の前記収納空間６１３１に入れるとき、或いは前記収納本体６１３の前記開口６１３２を介して前記給電装置６２０を前記収納本体６１３の前記収納空間６１３１から取り出すとき、前記給電装置６２０の前記摺動ユニット６２３は、前記収納本体６１３の内壁に直接的に接触することができ、このような方式により、前記給電装置６２０の前記給電本体６２１と前記収納本体６１３の内壁との間の摩擦力を減少することができ、前記給電装置６２０を取り外し、或いは取り付けやすい。
【００７２】
つまり、前記給電装置６２０を前記収納本体６１３の前記収納空間６１３１から取り出すときでも、前記給電装置６２０を前記収納本体６１３の前記収納空間６１３１に入れるときでも、前記摺動ユニット６２３は、前記収納本体６１３の内壁に対して転がることができ、労力を省いてこの操作を完了することができる。
【００７３】
また、前記摺動ユニット６２３の類型は、本発明に係る電動移植機において制限されず、例えば前記摺動ユニット６２３は、ローラやボールなどであってもよいが、それに限定されていない。
【００７４】
また、前記摺動ユニット６２３は前記収納本体６１３の内壁に可動に設けられる可能性もある。前記摺動ユニット６２３が前記収納本体６１３の内壁に可動に設けられるとき、前記収納本体６１３の前記開口６１３２を介して前記給電装置６２０を前記収納本体６１３の前記収納空間６１３１から取り出し、或いは前記収納本体６１３の前記開口６１３２を介して前記給電装置６２０を前記収納本体６１３の前記収納空間６１３１に入れるとき、前記摺動ユニット６２３は、前記給電装置６２０の前記給電本体６２１の外壁下側と前記収納本体６１３の内壁とが直接的に接触することを回避することができ、それにより前記給電装置６２０を取り外し、或いは交換しやすい。また、前記摺動ユニット６２３は、前記給電本体６２１及び前記収納本体６１３に対して運動することができる。
【００７５】
図２Ａ〜図６Ｂに示すように、前記給電装置６２０は、少なくとも１つのインジケーターランプ６２４を含み、前記インジケーターランプ６２４は、前記給電本体６２１に導通接続され、それにより、前記インジケーターランプ６２４を介して前記給電本体６２１の状態を指示し、例えば前記インジケーターランプ６２４を介して前記給電本体６２１の余剰電力量を指示することができる。好ましくは、前記インジケーターランプ６２４は、前記給電本体６２１の前記操作端６２１１に設けられ、それにより前記給電装置６２０が前記収納本体６１３の前記収納空間６１３１に保持されるとき、前記インジケーターランプ６２４は、前記収納本体６１３の前記開口６１３２の位置に曝露され、それにより、操作者は、前記インジケーターランプ６２４により前記給電本体６２１の作業を便利にチェックする。
【００７６】
図２Ａ〜図６Ｂに示すように、前記給電装置６２０は、少なくとも１つの制御スイッチ６２５を含み、前記制御スイッチ６２５は、前記給電本体６２１に導通接続され、前記制御スイッチ６２５により前記給電本体６２１の作動状態を制御し、例えば、前記制御スイッチ６２５により前記給電本体６２１が前記移植機装置６１０へ給電するか否かを制御することができる。好ましくは、前記制御スイッチ６２５は、前記給電本体６２１の前記操作端６２１１に設けられ、それにより前記給電装置６２０が前記収納本体６１３の前記収納空間６１３１に保持されるとき、前記制御スイッチ６２５は、前記収納本体６１３の前記開口６１３２の位置に曝露され、操作者が前記制御スイッチ６２５を操作しやすい。
【００７７】
図２Ａ〜図６Ｂに示すように、前記給電装置６２０は、操作ハンドル６２６を含み、前記操作ハンドル６２６は前記給電本体６２１の前記操作端６２１１に設けられ、前記給電装置６２０が前記収納本体６１３の前記収納空間６１３１に保持されるとき、前記操作ハンドル６２６が前記収納本体６１３の前記開口６１３２の位置に曝露され、操作者が前記操作ハンドル６２６により前記給電装置６２０を取り外し或いは交換しやすい。
【００７８】
また、図２Ａ〜図６Ｂに示すように、前記給電装置６２０は、さらに、充電ポート６２７を含み、前記充電ポート６２７は、前記給電本体６２１に導通接続され、前記充電ポート６２７により外部電源を前記給電本体６２１に補充することができる。好ましくは、前記充電ポート６２７は、前記給電本体６２１の前記操作端６２１１に設けられ、それにより前記給電装置６２０が前記収納本体６１３の前記収納空間６１３１に保持されるとき、前記充電ポート６２７は前記収納本体６１３の前記開口６１３２の位置に曝露されることができ、このように、前記給電装置６２０を前記収納本体６１３の前記収納空間６１３１から取り出す必要がないとき、前記充電ポート６２７により外部電源を前記給電本体６２１に補充することができる。
【００７９】
図２Ａ〜図６Ｂに示すように、前記収納本体６１３は、少なくとも２つの挿通孔６１３５を含み、各前記挿通孔６１３５は、それぞれ前記収納本体６１３の前記開口端６１３４に設けられ、かつ各前記挿通孔６１３５は、それぞれ前記収納本体６１３の両側に前記収納空間６１３１に連通する。前記保持ユニット６１４は、少なくとも１つの保持棒６１４１を含み、前記保持棒６１４１は、２つの端部がそれぞれ前記収納本体６１３の各前記挿通孔６１３５に取り外し可能に設けられ、前記保持棒６１４１を介して前記収納本体６１３の前記開口６１３２のサイズを減少し、それにより前記給電装置６２０が前記収納本体６１３の前記開口６１３２を介して前記収納空間６１３１から離脱することを防止する。
【００８０】
具体的には、前記給電装置６２０が前記収納本体６１３の前記開口６１３２を介して前記収納空間６１３１に設けられた後に、前記保持棒６１４１の２つの端部をそれぞれ前記収納本体６１３の各前記挿通孔６１３５に挿入し、それにより前記保持棒６１４１は前記収納本体６１３の前記開口６１３２の位置に保持され、前記開口６１３２のサイズを減少し、このような方式により、前記保持棒６１４１は前記給電装置６２０が前記収納本体６１３の前記開口６１３２を介して前記収納空間６１３１から離脱することを防止することができる。
【００８１】
好ましくは、前記保持棒６１４１の２つの端部がそれぞれ前記収納本体６１３の各前記挿通孔６１３５に挿入されて前記保持棒６１４１が前記収納本体６１３の前記開口６１３２の位置に保持されるとき、前記保持棒６１４１は前記給電本体６２１の前記操作端６２１１に貼り合わせ、このような方式により、前記保持棒６１４１は前記給電装置６２０が前記収納本体６１３の前記収納空間６１３１に揺れることを防止することができ、このように、前記給電装置６２０の前記給電本体６２１の外壁と前記収納本体６１３の内壁とがお互いに衝突して異音を発生することを防止することができ、他方、前記給電装置６２０の前記電池接続ユニット６２２と前記移植機装置６１０の前記移植機接続ユニット６１２の接続箇所が揺れを生じることを防止することができ、それにより前記電池接続ユニット６２２と前記移植機接続ユニット６１２とがお互いに接続されるときの信頼性を保証することができる。
【００８２】
さらに、前記給電装置６２０は、少なくとも１つの取付素子６２８を含み、各前記取付素子６２８は、それぞれ、前記給電本体６２１の前記操作端６２１１に設けられ、かつ各前記取付素子６２８は、それぞれ、取付チャンネル６２８１を有する。前記給電装置６２０が前記収納本体６１３の前記収納空間６１３１に保持されるとき、各前記取付素子６２８の前記取付チャンネル６２８１は、それぞれ、前記収納本体６１３の各前記挿通孔６１３５に対応し、かつ前記保持棒６１４１は、前記収納本体６１３の各前記挿通孔６１３５と各前記取付素子６２８の前記取付チャンネル６２８１に同時に保持することができ、このような方式により、前記保持棒６１４１は、前記給電装置６２０が前記開口６１３２を介して前記収納本体６１３の前記収納空間６１３１から離脱することを防止することができ、他方、前記給電装置６２０が前記収納本体６１３の前記収納空間６１３１に揺れることを防止することができ、それにより前記電動移植機の信頼性を保証する。
【００８３】
図２Ａ〜図６Ｂに示すように、前記保持ユニット６１４は、さらに、蓋体６１４２を含み、前記蓋体６１４２は、前記収納本体６１３に可動に設けられ、前記蓋体６１４２を介して前記収納本体６１３の前記開口６１３２を密閉させる。前記給電装置６２０が前記収納本体６１３の前記収納空間６１３１に保持されるとき、前記蓋体６１４２は前記収納本体６１３の前記開口６１３２に設けられることができ、前記蓋体６１４２を介して前記収納本体６１３の前記開口６１３２を密閉させ、それにより前記給電装置６２０が前記開口６１３２を介して前記収納本体６１３の前記収納空間６１３１から離脱することを防止することができる。また、前記蓋体６１４２は前記収納本体６１３の前記開口６１３２を密閉することにより、上から下へ落下する雨水が前記収納本体６１３の前記開口６１３２を通じて前記収納本体６１３の前記収納空間６１３１に進入することを防止することができ、それにより前記給電本体６２１の信頼性を保証し、特に前記給電装置６２０の前記電池接続ユニット６２２と前記移植機装置６１０の前記移植機接続ユニット６１２及び前記電池接続ユニット６２２と前記移植機接続ユニット６１２の接続関係の信頼性を保証する。
【００８４】
好ましくは、前記蓋体６１４２の一側は、前記収納本体６１３の一側に軸接続し、このように、前記蓋体６１４２が前記収納本体６１３の前記開口６１３２を密閉しても、前記蓋体６１４２が操作されて前記収納本体６１３の前記開口６１３２が曝露されても、前記蓋体６１４２は、前記収納本体６１３から落とすことがしなく、前記電動移植機の使用過程において、前記蓋体６１４２が失われることを回避する。
【００８５】
また、前記収納本体６１３は、さらに、少なくとも１つのチャンネル６１３６を含み、前記チャンネル６１３６は前記収納本体６１３の前記取付端６１３３に設けられ、かつ前記収納空間６１３１と外部環境を連通し、このように、前記給電装置６２０の放熱に有利であり、他方、水が前記収納本体６１３の前記収納空間６１３１に進入するとき前記チャンネル６１３６を介して快速かつ自動的に排出されることができ、それにより前記電動移植機の信頼性及び安定性を保証する。
【００８６】
図７Ａ及び図７Ｂに示すように、前記給電装置６２０を前記収納本体６１３の前記収納空間６１３１に取り付ける過程において、操作者は、片手で前記操作ハンドル６２６により前記給電本体６２１を持って、反対の手で前記給電本体６２１の外壁下側に前記給電本体６２１を支えて、その後、前記給電本体６２１の前記接続端６２１２がまず、前記収納本体６１３の前記開口６１３２を介して前記収納本体６１３の前記収納空間６１３１に入れられるように、前記給電装置６２０を前記収納本体６１３の前記収納空間６１３１に置かれる。前記収納本体６１３は傾斜に設けられ、それにより、この過程において、前記給電本体６２１の外壁下側に設けられる前記摺動ユニット６２３と前記収納本体６１３の内壁とは接触し、かつ前記給電本体６２１自体の重力作用で、前記摺動ユニット６２３は前記収納本体６１３の内壁に対して運動し、即ち、この過程において、操作者は、前記給電装置６２０に付勢する必要がなく、前記給電装置６２０自体の重力作用だけで、前記給電装置６２０は前記収納本体６１３の前記収納空間６１３１に自動的に進入し、及び前記収納本体６１３の前記収納空間６１３１に保持されることができる。前記移植機接続ユニット６１２が前記収納本体６１３の前記取付端６１３３に設けられ、かつ前記移植機接続ユニット６１２が前記収納本体６１３の外部から前記収納本体６１３の前記収納空間６１３１まで延伸し、それにより前記給電装置６２０が自体の重力作用で前記収納本体６１３の前記収納空間６１３１の底部に滑り込むとき、前記電池接続ユニット６２２と前記移植機接続ユニット６１２は前記収納本体６１３の前記収納空間６１３１に自動的に導通されることができる。
【００８７】
また、前記給電装置６２０は、自体の重力作用で前記収納本体６１３の前記開口端６１３４から前記取付端６１３３の方向へ摺動する過程において、前記収納本体６１３が傾斜に設けられるので、前記収納本体６１３の内壁が前記給電装置６２０を同時に支え、前記給電装置６２０が非常に速く下へ摺動することを防止し、それにより前記給電装置６２０が前記収納本体６１３の前記収納空間６１３１に取り付けられる過程の信頼性を保証する。
【００８８】
図８Ａ及び図８Ｂに示すように、前記給電装置６２０を前記収納本体６１３の前記収納空間６１３１から取り出す過程において、操作者は、片手で前記操作ハンドル６２６により斜上方へ前記給電本体６２１を引き、そのとき、前記摺動ユニット６２３が前記給電装置６２０と前記収納本体６１３の内壁との間の摩擦力を減少することができ、他方、前記収納本体６１３の内壁が上へ前記給電本体６２１の外壁下側を支えることができ、前記給電本体６２１の重力を克服し、それにより操作者は、容易に斜上方へ前記給電本体６２１を引くことができる。また、前記給電本体６２１の前記操作端６２１１が前記収納本体６１３の前記収納空間６１３１から露出するとき、操作者は、反対の手で前記給電本体６２１の外壁下側を支えることができ、操作者の両手で前記給電装置６２０に付勢することができ、それにより便利かつ容易に前記給電装置６２０を前記収納本体６１３の前記収納空間６１３１から取り出すことができる。
【００８９】
図９及び図１０は、前記電動移植機の変形実施形態を示し、前記保持ユニット６１４は、さらに、少なくとも１つの緩衝部６１４３を含み、前記緩衝部６１４３が前記蓋体６１４２と前記給電本体６２１の前記操作端６２１１との間に保持され、前記緩衝部を介して前記給電本体６２１の前記操作端６２１１と前記蓋体６１４２との間に形成したスリットを充填し、このような方式により、前記給電本体６２１の前記操作端が前記蓋体６１４２に衝突して異音を発生することを回避することができるだけでなく、前記給電装置６２０が前記収納本体６１３の前記収納空間６１３１に揺れることを防止することができ、それにより前記電池接続ユニット６２２と前記移植機接続ユニット６１２との接続箇所に緩みなどの不良現象を生じることを回避することができる。
【００９０】
好ましくは、前記緩衝部６１４３は弾性を有し、このように、前記緩衝部６１４３、前記給電本体６２１及び前記蓋体６１４２間の配合方式は、締まり嵌めであり、即ち、前記緩衝部６１４３が変形するように前記給電本体６２１、前記蓋体６１４２及び前記緩衝部６１４３の締まり嵌めを実現し、このような方式により、前記緩衝部６１４３は、適当な圧力を提供して前記収納本体６１３の前記取付端６１３３へ前記給電本体６２１を押し付け、それにより前記電池接続ユニット６２２は前記移植機接続ユニット６１２に信頼かつ安定的に接続し、前記電動移植機が平らでない農地に応用されても、前記電池接続ユニット６２２と前記移植機接続ユニット６１２との配合方式は迫られて改変することがしなく、それにより前記電動移植機の信頼性を保証する。また、前記緩衝部６１４３は、前記給電本体６２１の前記操作端６２１１と前記蓋体６１４２を隔てることにより、前記給電本体６２１と前記蓋体６１４２とが衝突することを回避することができる。
【００９１】
また、前記緩衝部６１４３の材料は、本発明に係る電動移植機において制限されず、例えば、前記緩衝部６１４３は、フォーム、スポンジ、エアバッグなどとして実施されることができるが、それに限定されていない。
【００９２】
図１０に示すように、前記緩衝部６１４３は前記蓋体６１４２に設けられ、それにより前記蓋体６１４２が操作されて前記収納本体６１３の前記開口６１３２を密閉させるとき、前記緩衝部６１４３は自動的に前記給電本体６２１の前記操作端６２１１と前記蓋体６１４２との間に保持される。それでも、本発明に係る電動移植機のある例示において、前記緩衝部６１４３は前記給電本体６２１の前記操作端６２１１に設けられることができ、それにより前記蓋体６１４２が操作されて前記収納本体６１３の前記開口６１３２を密閉させるとき、前記緩衝部６１４３は、自動的に前記給電本体６２１の前記操作端６２１１と前記蓋体６１４２との間に保持される。本発明に係る電動移植機の別の例示において、前記緩衝部６１４３は、１つ又は１組の単独の部材であってもよく、前記給電装置６２０を前記収納本体６１３の前記収納空間６１３１に収納した後に、前記緩衝部６１４３が前記給電本体６２１の前記操作端６２１１に設けられ、或いは前記緩衝部６１４３が前記蓋体６１４２に設けられ、かつ前記蓋体６１４２が操作されて前記収納本体６１３の前記開口６１３２を密閉させるとき、前記緩衝部６１４３は前記給電本体６２１の前記操作端６２１１と前記蓋体６１４２との間に保持される。
【００９３】
図１１〜図１５Ｂは、前記電動移植機の別の変形実施形態を示し、前記保持ユニット６１４は、保持機構６１４４を含み、前記保持機構６１４４は、さらに、保持部材６１４４１を含み、前記保持部材６１４４１は前記給電本体６２１に設けられ、前記給電装置６２０が前記収納本体６１３の前記収納空間６１３１に保持されるとき、前記保持機構６１４４の前記保持部材６１４４１が前記収納本体６１３をロックすることができ、それにより前記給電装置６２０が前記収納本体６１３の前記開口６１３２を介して前記収納空間６１３１から離脱することを防止し、及び前記給電装置６２０の前記給電本体６２１が前記収納本体６１３の前記収納空間６１３１に揺れることを防止し、このような方式により、前記給電本体６２１の外壁が前記収納本体６１３の内壁に衝突して異音などの不良現象を生じることを回避することができるだけでなく、前記電池接続ユニット６２２と前記移植機接続ユニット６１２の接続箇所に緩みなどの不良現象を生じることを回避することができる。
【００９４】
好ましくは、前記保持部材６１４４１は、前記給電本体６２１の前記操作端６２１１に可動に設けられ、前記保持部材６１４４１は、ロックアップ状態とロック解除状態を有し、かつ前記保持部材６１４４１は前記ロックアップ状態と前記ロック解除状態との間に切り替えることができる。前記給電本体６２１が前記収納本体６１３の前記収納空間６１３１に保持されるとき、前記保持部材６１４４１が前記ロックアップ状態にあり、前記保持部材６１４４１を介して前記収納本体６１３の前記開口端６１３４に前記収納本体６１３をロックし、それにより前記給電装置６２０が前記収納本体６１３の前記開口６１３２を介して前記収納空間６１３１から離脱することを防止する。前記給電装置６２０を前記収納本体６１３の前記収納空間６１３１から取り出す必要があるとき、前記保持部材６１４４１は前記ロック解除状態に切り替えることができる。
【００９５】
本発明に係る電動移植機において、前記保持部材６１４４１は、自動的に前記ロック状態と前記ロック解除状態に切り替えることができ、それにより操作者は、前記給電装置６２０を快速に交換することができ、例えば前記電動移植機が使用される過程において、前記給電装置６２０の前記給電本体６２１の電気エネルギーが使い尽くされ、或いは前記給電装置６２０が損害されるとき、操作者は、便利かつ快速に前記給電装置６２０を交換して前記電動移植機の作業状態を維持することができる。
【００９６】
具体的には、図１１〜図１５Ｂに示すように、前記保持機構６１４４は取付素子６１４４２を含み、前記取付素子６１４４２は前記給電本体６２１の前記操作端６２１１に設けられ、かつ前記取付素子６１４４２と前記給電本体６２１の前記操作端６２１１との間に少なくとも１つの可動チャンネル６１４４２１を形成し、前記可動チャンネル６１４４２１は前記給電本体６２１の幅方向に延伸し、それにより前記可動チャンネル６１４４２１の２つの開口はそれぞれ前記給電本体６２１の両側に位置する。また、前記取付素子６１４４２には、さらに、２つの操作チャンネル６１４４２２が設けられ、各前記操作チャンネル６１４４２２は、それぞれ前記可動チャンネル６１４４２１と前記取付素子６１４４２１の外部環境を連通する。
【００９７】
前記保持部材６１４４１は、２つのロックアップ素子６１４４１１と復帰素子６１４４１２を含み、各前記ロックアップ素子６１４４１１は、それぞれロックアップ端６１４４１１１と前記ロックアップ端６１４４１１１に対応する復帰端６１４４１１２を含み、前記復帰素子６１４４１２は前記可動チャンネル６１４４２１の中部に設けられ、各前記ロックアップ素子６１４４１１は、それぞれ、前記可動チャンネル６１４４２１の両側に対称かつ可動に設けられ、前記可動チャンネル６１４４２１を介して各前記ロックアップ素子６１４４１１の可動方向を制限し、かつ前記復帰素子６１４４１２の２つの端部は、それぞれ各前記ロックアップ素子６１４４１１の前記復帰端６１４４１１２に接続される。各前記ロックアップ素子６１４４１１が力を受けないとき、各前記ロックアップ素子６１４４１１の前記ロックアップ端６１４４１１１は前記可動チャンネル６１４４２１の２つの端部から突出し、このとき、前記保持部材６１４４１は前記ロックアップ状態にある。相応的に、各前記ロックアップ素子６１４４１１が力を受けるとき、各前記ロックアップ素子６１４４１１の前記ロックアップ端６１４４１１１が前記可動チャンネル６１４４２１に隠され、このとき、前記保持部材６１４４１が前記ロック解除状態にあり、かつ前記復帰素子６１４４１２の２つの端部は、それぞれ各前記ロックアップ素子６１４４１１の前記復帰端６１４４１１２に押し付けられて変形し、各前記ロックアップ素子６１４４１１に印加する外力が取り消されるとき、前記復帰素子６１４４１２は初期状態に復帰し、このとき、前記復帰素子６１４４１２は各前記ロックアップ素子６１４４１１をそれぞれ前記可動チャンネル６１４４２１が形成したレールに沿って移動させ、各前記ロックアップ素子６１４４１１の前記ロックアップ端６１４４１１１を前記可動チャンネル６１４４２１の外部から突出させ、それにより前記保持部材６１４４１は前記ロックアップ状態に切り替える。前記復帰素子６１４４１２は拡張状態と圧縮状態を有し、前記復帰素子６１４４１２が力を受けないときに前記拡張状態にあり、力を受けて圧縮されるときに前記圧縮状態にあり、かつ前記復帰素子６１４４１２に印加する外力が取り消されるとき、前記復帰素子６１４４１２は自動的に前記圧縮状態から前記拡張状態に切り替える。また、前記保持部材６１４４１が前記ロック解除状態にあるとき、前記復帰素子６１４４１２が前記圧縮状態にあり、前記保持部材６１４４１が前記ロックアップ状態にあるとき、前記復帰素子６１４４１２は前記拡張状態にある。
【００９８】
好ましくは、前記保持機構６１４４は、さらに、操作素子６１４４３を含み、前記操作素子６１４４３は、２つの自由端６１４４３１を有し、前記操作素子６１４４３の各前記自由端６１４４３１は、それぞれ、前記取付素子６１４４２の各前記操作チャンネル６１４４２２を貫通して前記可動チャンネル６１４４２１まで延伸し、かつ前記操作素子６１４４３の各前記自由端６１４４３１は、それぞれ各前記ロックアップ素子６１４４１１の前記復帰端６１４４１１２に接続する。
【００９９】
図１４Ａ及び図１４Ｂに示すように、前記給電装置６２０を前記収納本体６１３の前記開口６１３２を介して前記収納空間６１３１から取り出す必要があるとき、操作者は前記操作素子６１４４３により前記操作素子６１４４３を持ちあげることができ、このとき、前記給電本体６２１の重力作用なので、前記操作素子６１４４３が引かれるとき、前記操作素子６１４４３の２つの前記自由端６１４４３１は、同期かつ同一幅で前記可動チャンネル６１４４２１のチャンネル開口端からチャンネルの中部に移動し、かつ前記操作素子６１４４３の各前記自由端６１４４３１はそれぞれ各前記ロックアップ素子６１４４１１を引いて前記可動チャンネル６１４４２１が形成したレールに沿ってチャンネル開口端からチャンネルの中部へ移動させ、それにより各前記ロックアップ素子６１４４１１の前記ロックアップ端６１４４１１１が前記可動チャンネル６１４４２１に隠され、かつ前記復帰素子６１４４１２が各前記ロックアップ素子６１４４１１の前記復帰端６１４４１１２に押し付けられて変形し、このとき、前記保持部材６１４４１は自動的に前記ロックアップ状態から前記ロック解除状態に切り替える。操作者が前記操作素子６１４４３に続いて付勢するとき、前記給電装置６２０を前記収納本体６１３の前記開口６１３２を介して前記収納空間６１３１から取り出すことができる。
【０１００】
図１５Ａ及び図１５Ｂに示すように、前記給電装置６２０を前記収納本体６１３の前記開口６１３２を介して前記収納空間６１３１に取り付けた後、前記給電装置６２０は前記収納本体６１３に支持され、前記操作素子６１４４３に作用する外力が取り消され、このとき、前記復帰素子６１４４１２が初期状態に復帰する過程において、前記復帰素子６１４４１２の２つの端部はそれぞれ各前記ロックアップ素子６１４４１１の前記復帰端６１４４１１２に作用し、それにより各前記ロックアップ素子６１４４１１の前記ロックアップ端６１４４１１１は前記可動チャンネル６１４４２１から突出し、かつ各前記ロックアップ素子６１４４１１の前記ロックアップ端６１４４１１１はそれぞれ前記収納本体６１３の各前記挿通孔６１３５にロックされ、このとき、前記保持部材６１４４１は自動的に前記ロック解除状態から前記ロックアップ状態に切り替え、前記給電装置６２０の取付を完了する。前記復帰素子６１４４１２は、各前記ロックアップ素子６１４４１１の前記ロックアップ端６１４４１１１が前記収納本体６１３の前記挿通孔６１３５に保持されることにより、前記保持部材６１４４１が前記ロックアップ状態に保持され、前記電動移植機が使用されるときの信頼性を保証する。
【０１０１】
好ましくは、前記復帰素子６１４４１２の長さのサイズは、前記取付素子６１４４２の２つの前記操作チャンネル６１４４２２間の距離サイズより大きい。前記操作素子６１４４３の２つの前記自由端６１４４３１間の距離サイズは前記取付素子６１４４２の２つの前記操作チャンネル６１４４２２の距離サイズにより大きい。
【０１０２】
また、本発明の別の形態によれば、本発明は、さらに、電動移植機の電気エネルギー供給方法を提供し、前記電気エネルギー供給方法は、
移植機本体６１１の回路に導通接続される移植機接続ユニット６１２は収納本体６１３の外部から前記収納本体６１３の収納空間６１３１まで延伸するステップ(ａ)と、
前記収納本体６１３の前記収納空間６１３１に保持される給電本体６２１は、前記給電本体６２１に導通接続される電池接続ユニット６２２により前記移植機接続ユニット６１２に導通接続されるステップ(ｂ)と、
前記収納本体６１３の開口箇所に保持される保持ユニット６１４により、前記給電本体６２１は前記収納本体６１３の前記収納空間６１３１に保持され、それにより前記移植機接続ユニット６１２と前記電池接続ユニット６２２とが前記収納本体６１３の前記収納空間６１３１に信頼的に導通されるステップ(ｃ)とを含む。
【０１０３】
好ましくは、前記ステップ(ｂ)において、前記給電本体６２１が前記収納本体６１３の前記収納空間６１３１に設けられるとき、前記電池接続ユニット６２２は、前記移植機接続ユニット６１２に自動的に導通される。
【０１０４】
具体的には、上記方法において、前記移植機接続ユニット６１２は、前記収納本体６１３の取付端６１３３から前記収納本体６１３の外部から前記収納空間６１３１まで延伸し、前記電池接続ユニット６２２は前記給電本体６２１の接続端６２１２に設けられ、前記給電本体６２１の接続端６２１２がまず前記収納本体６１３の前記収納空間６１３１に設けられるように前記給電本体６２１を前記収納本体６１３の前記収納空間６１３１に設け、かつ前記給電本体６２１が前記収納本体６１３の前記収納空間６１３１に保持されるとき、前記電池接続ユニット６２２と前記移植機接続ユニット６１２は自動的に導通される。
【０１０５】
さらに、上記方法において、前記収納本体６１３は前記移植機本体６１１に傾斜に設けられ、かつ前記収納本体６１３の開口は傾斜して上へ向けることを保持する。
【０１０６】
好ましくは、前記ステップ(ｃ)において、前記保持ユニット６１４の保持棒６１４１の２つの端部は、それぞれ前記収納本体６１３の開口箇所の挿通孔６１３５に挿入し、前記保持棒６１４１は前記収納本体６１３の開口箇所に保持され、それにより前記保持棒６１４１を介して前記給電本体６２１を前記収納本体６１３の前記収納空間６１３１に保持させる。
【０１０７】
より好ましくは、前記ステップ(ｃ)において、前記保持棒６１４１と前記給電本体６２１の操作端６２１１とがお互い接触するように、前記給電本体６２１は前記収納本体６１３の前記収納空間６１３１に揺れることを防止する。
【０１０８】
別の実施例では、前記ステップ(ｃ)において、蓋体６１４２により前記収納本体６１３の開口を密閉させ、及び少なくとも１つの緩衝部６１４３を前記蓋体６１４２と前記給電本体６２１の操作端６２１１との間に位置させ、それにより前記蓋体６１４２及び前記緩衝部６１４３により前記給電本体６２１を前記収納本体６１３の前記収納空間６１３１に保持させる。好ましくは、前記蓋体６１４２、前記緩衝部６１４３と前記給電本体６２１間の組立方式は締まり嵌めである。
【０１０９】
別の実施例では、前記ステップ(ｃ)において、さらに、
前記保持ユニット６１４の取付素子６１４４２を前記給電本体６２１の操作端６２１１に設けられ、かつ前記取付素子６１４４２と前記給電本体６２１の操作端６２１１との間に可動チャンネル６１４４２１を形成するステップ(ｃ．１)と、
前記保持ユニット６１４の保持部材６１４４１は前記可動チャンネル６１４４２１に可動に設けられ、前記保持部材６１４４１はロックアップ状態とロック解除状態を有し、かつ前記保持部材６１４４１が前記可動チャンネル６１４４２１に可動するとき、前記保持部材６１４４１は前記ロックアップ状態と前記ロック解除状態との間に切り替えることができるステップ(ｃ．２)と、
給電本体６２１を前記収納本体６１３の前記収納空間６１３１に設ける過程において、前記保持部材６１４４１が前記ロック解除状態に保持され、及び前記給電本体６２１が前記収納本体６１３の前記収納空間６１３１に収納された後に、前記保持部材６１４４１は前記ロック解除状態から前記ロックアップ状態に切り替え、かつ前記保持部材６１４４１のロックアップ端６１４４１１１は前記収納本体６１３の挿通孔６１３５に保持されるステップ(ｃ．３)とを含む。
【０１１０】
好ましくは、前記ステップ(ｃ．２)において、さらに、
前記保持部材６１４４１の復帰素子６１４４１２が前記可動チャンネル６１４４２１の中部に変形可能に設けられるステップ(ｃ．２．１)と、
前記保持部材６１４４１の２つのロックアップ素子６１４４１１が前記可動チャンネル６１４４２１に可動に設けられ、かつ各前記ロックアップ素子６１４４１１の復帰端６１４４１１２は前記復帰素子６１４４１２にそれぞれ接続し、前記保持部材６１４４１が前記ロックアップ状態にあるとき、各前記ロックアップ素子６１４４１１のロックアップ端６１４４１１１は前記可動チャンネル６１４４２１から突出し、かつ前記復帰素子６１４４１２は拡張状態にあって各前記ロックアップ素子６１４４１１のロックアップ端６１４４１１１は前記可動チャンネル６１４４２１から突出する状態に保持し、前記保持部材６１４４１が前記ロック解除状態にあるとき、各前記ロックアップ素子６１４４１１のロックアップ端６１４４１１１は前記可動チャンネル６１４４２１に隠され、かつ前記復帰素子６１４４１２が圧縮状態にあって各前記ロックアップ素子６１４４１１のロックアップ端６１４４１１１を前記可動チャンネル６１４４２１から突出させる傾向を有させるステップ(ｃ．２．２)とを含む。前記ステップ(ｃ．３)において、前記給電本体６２１が前記収納本体６１３の前記収納空間６１３１に収納された後、前記復帰素子６１４４１２は前記圧縮状態から前記拡張状態に切り替え、各前記ロックアップ素子６１４４１１を推進して前記可動チャンネル６１４４２１が形成するレールに沿って運動させ、かつ各前記ロックアップ素子６１４４１１のロックアップ端６１４４１１１が前記可動チャンネル６１４４２１から突出した後に前記収納本体６１３の挿通孔６１３５に挿入し、それにより前記保持部材６１４４１は前記ロック解除状態から自動的に前記ロックアップ状態に切り替える。
【０１１１】
より好ましくは、上記方法において、前記保持ユニット６１４の操作素子６１４４３の２つの自由端６１４４３１は前記取付素子６１４４２の操作チャンネル６１４４２２を介して前記取付素子６１４４２の外部から前記可動チャンネル６１４４２１まで延伸し、かつ前記操作素子６１４４３の２つの自由端６１４４３１はそれぞれ各前記ロックアップ素子６１４４１１の復帰端６１４４１１２に設けられる。前記ステップ(ｃ．３)において、前記操作素子６１４４３を引っ張るように前記給電本体６２１が前記収納本体６１３の前記収納空間６１３１に設けられるとき、前記操作素子６１４４３は前記給電本体６２１の重力を受けて各前記ロックアップ素子６１４４１１を引いて前記可動チャンネル６１４４２１が形成するレールに沿って運動させ、かつ各前記ロックアップ素子６１４４１１のロックアップ端６１４４１１１を前記可動チャンネル６１４４２１に隠して前記保持部材６１４４１を前記ロック解除状態にし、及び前記給電本体６２１が前記収納本体６１３の前記収納空間６１３１に収納された後、前記操作素子６１４４３に作用する前記給電本体６２１の重力が取り消された後に、前記復帰素子６１４４１２は各前記ロックアップ素子６１４４１１を推進して前記可動チャンネル６１４４２１が形成するレールに沿って運動させ、かつ各前記ロックアップ素子６１４４１１のロックアップ端６１４４１１１が前記可動チャンネル６１４４２１から突出した後に前記収納本体６１３の挿通孔６１３５に挿入され、それにより前記保持部材６１４４１は前記ロック解除状態から自動的に前記ロックアップ状態に切り替える。
【０１１２】
図１６Ａ、図１６Ｂ及び図１７は、本発明による別の好適な実施例の移植機が示され、前記移植機は電気エネルギーにより駆動され、電気エネルギーにより駆動される前記移植機は、環境に対して発生するノイズが比較的小さく、使用者にとっては、作業環境を大幅に改善し、まだ使用者は作業しながら音楽を鑑賞することができる。さらに、電気エネルギーにより駆動される前記移植機は、クリーンエネルギーを使用し、殆んど環境汚染がなく、コストが油を燃料とする移植機よりも大幅に低下した。
【０１１３】
具体的には、前記移植機は、移植機本体７１０を含み、前記移植機本体７１０は走行機構、苗移植機構、栽植高度調節機構などの装置のうちの少なくとも１種を含むが、それに限定されず、それにより苗を指定位置に栽植することができる。
【０１１４】
前記移植機は、さらに、エネルギー供給部７２０を含み、前記エネルギー供給部は前記移植機本体７１０に設けられ、前記エネルギー供給部７２０は前記移植機本体７１０に電源を提供することができ、それにより前記移植機は地面で自動的に前進又は後退することができ、前記エネルギー供給部７２０が前記移植機本体７１０に対してエネルギーを供給し、それにより移植物が前記移植機本体７１０により自動的に指定位置に移植されることができる。
【０１１５】
具体的には、前記エネルギー供給部７２０は、少なくとも１つの電池ボックス７２１と少なくとも１つの電池７２２を含み、前記電池ボックス７２１は、さらに、電池ボックス本体７２１９を含み、前記電池７２２は、さらに電池本体７２２９を含み、前記電池ボックス本体７２１９は前記移植機本体７１０に傾斜に設けられ、前記電池本体７２２９は前記電池ボックス本体７２１９に設けられ、前記電池本体７２２９は前記電池ボックス本体７２１９に収納され、従って、前記電池本体７２２９は前記電池ボックス本体７２１９により保護して固定され、田畑に前記移植機を使用するとき、汚染物、例えば、土や雨水などが前記電池本体７２２９に進入することを防止し、前記移植機は、正常なエネルギー供給状態に保持されることができる。
【０１１６】
好ましくは、前記電池本体７２２９は、前記電池ボックス本体７２１９に取り外し可能に取り付けられ、それにより前記電池本体７２２９を取り外して交換することができる。言い換えれば、前記電池本体７２２９のエネルギー貯蔵容量は制限があり、外部電源がない場合、前記電池本体７２２９のエネルギーが使い尽くされた後に、使用者は交換することができ、準備される前記電池本体７２２９に置換され、それにより、前記移植機は、外部電源がない場合で長時間に正常作動することができる。勿論、前記電池本体７２２９を前記電池ボックス本体７２１９から取り出しなくても、前記電池本体７２２９に電気エネルギーを補充することもできる。前記電池本体７２２９は、リチウム電池として実施されることができるが、それに限定されていない。
【０１１７】
さらに、一度前記電池本体７２２９が故障を発生すると、タイムリーに交換されることができ、それにより前記移植機は、突然のエネルギー供給故障なので作業を中断することがしない。つまり、前記電池本体７２２９が取り外し可能に設けられることにより、前記移植機は戸外で外部エネルギーがない場合での正常作業状態を保証する。
【０１１８】
好ましくは、前記電池本体７２２９と前記電池ボックス本体７２１９の数は、お互いに対応し、例えば、１つの前記電池本体７２２９は１つの前記電池ボックス本体７２１９に収納させることができる。勿論、複数の前記電池本体７２２９は同一前記電池ボックス本体７２１９に置かれることができ、本発明に係る移植機は、この点で制限されていない。
【０１１９】
また、前記電池ボックス本体７２１９と前記電池本体７２２９の数は、図１６Ａに示す前記移植機の例示のように、１つであってもよい。好ましくは、前記電池ボックス本体７２１９と前記電池本体７２２９の数は、１つとして実施されるとき、前記電池ボックス本体７２１９は、前記移植機本体７１０の重心位置に傾斜に設けられ、このとき、前記電池ボックス本体７２１９に設けられる前記電池本体７２２９も前記移植機本体７１０の重心位置に保持されることもでき、このように、前記移植機を容易にバランスに保持することができるだけでなく、前記移植機は便利に操作されることができる。
【０１２０】
図１６Ｂに示す例示において、前記電池ボックス本体７２１９と前記電池本体７２２９の数は、２つとして実施することができ、２つの前記電池ボックス本体７２１９は、前記移植機本体７１０の両側に傾斜かつ対称に設けられ、各前記電池ボックス本体７２１９に設けられる２つの前記電池本体７２２９もお互いに対称的に前記移植機本体７１０の両側に保持され、このように、前記移植機は容易にバランスを保持することができるだけでなく、前記移植機は便利に操作されることができる。対称的に前記移植機本体７１０の両側に設けられる前記電池ボックス本体７２１９と前記電池本体７２２９も前記移植機の重心位置に位置する。
【０１２１】
前記移植機の他の例示において、前記電池ボックス本体７２１９と前記電池本体７２２９の数は、複数であってもよい。そのため、図１６Ａ及び図１６Ｂに示したのは、例示的なものであり、本発明に係る移植機の内容及び範囲を限定しない。
【０１２２】
前記電池ボックス本体７２１９は、電池キャビティ７２１０を有して前記電池本体７２２９を収納し、前記電池キャビティ７２１０は前記電池本体７２２９より略大きくするように設けられ、それにより前記電池本体７２２９が交換されるとき、使用者は、直接的に前記電池本体７２２９を前記電池キャビティ７２１０から引き出し、或いは前記電池ボックス本体７２１９を前記電池キャビティ７２１０に押し込むことができる。
【０１２３】
前記電池ボックス本体７２１９は、周壁７２１１と底部７２１２を含み、前記周壁７２１１の一端が前記電池キャビティ口７２１０１を区画し、前記底部７２１２は、前記周壁７２１１の他端から内へ延伸して前記周壁７２１１の該端を覆うように形成する。つまり、前記周壁７２１１は前記底部７２１２の周縁から外へ延伸して形成し、かつ前記周壁７２１１及び前記底部７２１２は前記電池キャビティ７２１０を区画する。つまり、前記電池ボックス本体７２１９の前記周壁７２１１は前記底部７２１２に延伸し、前記周壁７２１１と前記底部７２１２との間に前記電池キャビティ７２１０を形成し、及び前記周壁７２１１が前記電池キャビティ７２１０を連通する前記電池キャビティ口７２１０１を形成する。前記電池本体７２２９は前記電池キャビティ口７２１０１を介して前記電池ボックス本体７２１９の前記電池キャビティ７２１０に入れることができ、或いは前記電池キャビティ口７２１０１を介して前記電池ボックス本体７２１９の前記電池キャビティ７２１０から取り出すことができ、前記電池本体７２２９を交換する。
【０１２４】
前記電池ボックス７２１は、さらに、電池ボックス接続部７２１３を含み、前記電池ボックス接続部７２１３は前記電池ボックス本体７２１９に設けられる。好ましくは、前記電池ボックス接続部７２１３は前記電池ボックス本体７２１９の前記底部７２１２に設けられる。前記電池ボックス接続部７２１３は、前記移植機本体７１０の回路に導通され、前記電池本体７２２９が前記電池ボックス本体７２１９の前記電池キャビティ７２１０に取り付けられるとき、前記電池本体７２２９は前記電池ボックス本体７２１９の前記底部７２１２に設けられる前記電池ボックス接続部７２１３に導通し、それにより前記移植機本体７１０の回路と前記電池本体７２２９は導通され、従って前記電池本体７２２９は前記移植機本体７１０に対してエネルギーを供給して前記移植機本体７１０を駆動することができる。
【０１２５】
具体的には、前記電池７２２は、電池接続部７２２３を含み、前記電池接続部７２２３は前記電池本体７２２９の一端に設けられ、かつ前記電池接続部７２２３は前記電池本体７２２９に導通接続される。前記電池本体７２２９が前記電池ボックス本体７２１９の前記電池キャビティ７２１０に取り付けられるとき、前記電池接続部７２２３は前記電池ボックス本体７２１９の前記底部７２１２に位置する前記電池ボックス接続部７２１３に導通し、前記電池本体７２２９と前記移植機本体７１０の回路とが導通され、従って前記移植機本体７１０は駆動させることができる。好ましくは、前記電池本体７２２９が前記電池ボックス本体７２１９の前記電池キャビティ７２１０に置かれるとき、前記電池７２２の前記電池接続部７２２３と前記電池ボックス７２１の前記電池ボックス接続部７２１３は自動的に導通される。
【０１２６】
相応的には、使用者が前記電池本体７２２９を交換する必要があるとき、前記電池本体７２２９を前記電池ボックス本体７２１９の前記電池キャビティ７２１０から引き出さればよく、前記電池本体７２２９が一度、前記電池ボックス本体７２１９の前記底部７２１２から分離すると、前記電池７２２の前記電池接続部７２２３と前記按電池ボックス７２１の前記電池ボックス接続部７２１３は切断され、このとき、前記電池本体７２２９は前記移植機本体７１０に対するエネルギー供給を停止させる。
【０１２７】
つまり、前記電池本体７２２９が前記電池ボックス本体７２１９の前記電池キャビティ７２１０に置かれるとき、前記電池本体７２２９の重力により前記電池本体７２２９は、前記電池キャビティ７２１０の内壁に沿って下へ摺動する傾向及び変位を有し、それにより前記電池本体７２２９の底部に設けられる前記電池接続部７２２３は、前記電池ボックス本体７２１９の前記底部７２１２に設けられる前記電池ボックス接続部７２１３に自動的に導通され、それにより前記電池本体７２２９と前記移植機本体７１０の回路は自動的に導通される。
【０１２８】
言い換えれば、前記電池本体７２２９が前記電池ボックス本体７２１９に取り付けられるとき、前記電池接続部７２２３は、すぐ前記電池ボックス接続部７２１３に自動的に導通され、従って使用者は、前記電池本体７２２９をさらに移動して前記電池本体７２２９と前記移植機の前記電池ボックス接続部７２１３との間の相対位置を調整する必要がない。それは、使用者にとっては十分に便利であり、一般的な電池が一定の重量及び体積を有するので、微調整のために電池を移動する操作は、使用者にとっては十分に面倒で体力に対する要求も非常に高い。
【０１２９】
前記電池本体７２２９は、第１端部７２２１と第２端部７２２２を含み、前記第１端部７２２１と前記第２端部７２２２は、それぞれ前記電池本体７２２９の両端に設けられる。
【０１３０】
好ましくは、前記電池７２２の前記電池接続部７２２３は前記電池本体７２２９の前記第１端部７２２１に設けられる。より好ましくは、前記電池７２２の前記電池接続部７２２３は、前記電池本体７２２９の前記第１端部７２２１の予めに設定される中間位置に設けられる。勿論、前記電池接続部７２２３は前記電池本体７２２９の前記第１端部７２２１の他の位置に設けられる可能性もある。相応的には、前記電池ボックス接続部７２１３は前記電池ボックス本体７２１９の前記底部７２１２の予めに設置される中間位置に設けられ、同様に、前記電池ボックス接続部７２１３は前記電池ボックス本体７２１９の前記底部７２１２の他の位置に設けられる可能性もある。前記電池本体７２２９の前記第１端部７２２１が内へ前記電池キャビティ７２１０に入られるとき、前記電池接続部７２２３は、前記電池ボックス接続部７２１３にちょうど位置合わせし、それにより前記電池接続部７２２３は自動的に位置合わせし、かつ前記電池ボックス接続部７２１３に導通接続され、従って、前記移植機本体７１０は後続に駆動され、かつ前記電池接続部７２２３及び前記電池ボックス接続部７２１３は、それぞれ、前記第１端部７２２１と前記底部７２１２の中間位置に位置するとき、外界の水分が前記底部７２１２と前記第１端部７２２１との接続箇所の辺縁位置から前記電池接続部７２２３と前記電池ボックス接続部７２１３に滲入する可能性を減少することができ、前記電池接続部７２２３と前記電池ボックス接続部７２１３に対して一定の保護作用を発揮して外部に曝露させることがしない。
【０１３１】
好ましくは、前記電池７２２の前記電池接続部７２２３は、さらに、少なくとも１つの電池接続ヘッド７２２３１を含み、前記電池ボックス７２１の前記電池ボックス接続部７２１３は、さらに、少なくとも１つの電池接続口７２１３１を含み、前記電池接続ヘッド７２２３１の数は、前記電池接続口７２１３１の数と同じであるように設置され、前記電池本体７２２９が前記電池キャビティ７２１０に取り付けられるとき、前記電池７２２の前記電池接続ヘッド７２２３１は、自動的に位置合わせし、かつ前記電池ボックス７２１の前記電池接続口７２１３１に導通接続され、それにより前記移植機本体７１０の回路は導通され、従って、前記移植機本体７１０は、電気エネルギーが供給されて駆動されることができる。勿論、前記電池接続口７２１３１は、前記電池接続部７２２３に設けられてよく、前記電池ボックス接続部７２１３に設けられてもよく、前記電池接続ヘッド７２２３１は、前記電池接続部７２２３又は前記電池ボックス接続部７２１３に設けられてもよく、つまり、前記電池接続口７２１３１と前記電池接続ヘッド７２２３１の位置は、上記位置に限定されず、前記電池接続ヘッド７２２３１と前記電池接続口７２１３１は導通されることができればよい。
【０１３２】
好ましくは、前記電池７２２の前記電池接続部７２２３は、さらに、少なくとも１つの固定接続ヘッド７２２３２を含み、前記電池ボックス７２１の前記電池ボックス接続部７２１３は、さらに、少なくとも１つの固定接続口７２１３２を含み、前記固定接続ヘッド７２２３２の数は、前記固定接続口７２１３２の数と同じように設置され、前記固定接続ヘッド７２２３２は前記電池接続ヘッド７２２３１付近に設けられ、前記固定接続口７２１３２は前記電池接続口７２１３１付近に設けられ、前記電池本体７２２９が前記電池キャビティ７２１０に取り付けられるとき、前記電池７２２の前記固定接続ヘッド７２２３２は前記電池ボックス７２１の前記固定接続口７２１３２に自動的に位置合わせして取り付けられ、従って前記電池接続部７２２３は前記電池ボックス接続部７２１３に相対的に固定接続し、それにより前記移植機が使用過程において、前記電池接続部７２２３と前記電池ボックス接続部７２１３との間が揺れることにより前記電池接続ヘッド７２２３１と前記電池接続口７２１３１との間の接続を影響し、揺れることで前記電池接続ヘッド７２２３１と前記電池接続口７２１３１との間が緩むことを減少し、使用寿命を向上し、前記エネルギー供給部７２０の正常作業を保証する。
【０１３３】
当業者の周知のように、まず、前記固定接続ヘッド７２２３２と前記固定接続口７２１３２の数は、１つに限定されず、前記固定接続ヘッド７２２３２と前記固定接続口７２１３２の数は、複数として設置することができ、それにより前記電池接続部７２２３と前記電池ボックス接続部７２１３の間の接続作用を増加し、次に、前記固定接続ヘッド７２２３２と前記固定接続口７２１３２の位置は、上記に説明した位置に限定されず、前記固定接続ヘッド７２２３２は、前記電池７２２の前記電池接続部７２２３に設けられてもよく、前記電池ボックス７２１の前記電池ボックス接続部７２１３に設けられてもよく、前記電池本体７２２９が前記電池キャビティ７２１０に取り付けられるとき、前記固定接続ヘッド７２２３２が対応する位置は、マッチングする前記固定接続口７２１３２であればよい。相応的には、前記固定接続口７２１３２の位置は前記電池ボックス７２１の前記電池ボックス接続部７２１３に設けられてもよく、前記電池７２２の前記電池接続部７２２３に設けられてもよく、前記電池本体７２２９が前記電池キャビティ７２１０に取り付けられるとき、前記固定接続口７２１３２が対応する位置はマッキングする前記固定接続ヘッド７２２３２であればよい。
【０１３４】
好ましくは、前記電池７２２の前記電池接続部７２２３は、さらに、検出接続ヘッド７２２３３を含み、前記検出接続ヘッド７２２３３は前記電池接続ヘッド７２２３１と前記固定接続ヘッド７２２３２付近に設けられ、前記検出接続ヘッド７２２３３は前記電池本体７２２９の電力量を検出することに用いられる。相応的には、前記電池ボックス７２１の前記電池ボックス接続部７２１３は、さらに検出接続口７２１３３を含み、前記検出接続口７２１３３は前記電池接続口７２１３１と前記固定接続口７２１３２付近に設けられ、前記検出接続口７２１３３は前記電池本体７２２９の電力量を検出することに用いられる。つまり、前記電池本体７２２９が前記電池ボックス本体７２１９の前記電池キャビティ７２１０に取り付けられるとき、前記電池７２２の前記検出接続ヘッド７２２３３は、前記電池ボックス７２１の前記検出接続口７２１３３にちょうど位置合わせするように設置することにより、相応する検出回路は導通されて前記電池本体７２２９の余剰電力量を検出することができ、従って使用者に電力量を提示してタイムリーに前記電池本体７２２９を交換して、或いは前記電池本体７２２９に対してエネルギーを補充する。
【０１３５】
具体的には、前記電池７２２は、さらに、インジケーターランプ７２２４を含み、前記インジケーターランプ７２２４は、前記電池本体７２２９の外側に設けられ、かつ前記インジケーターランプ７２２４は前記電池本体７２２９に導通接続され、それにより前記電池本体７２２９が前記電池キャビティ７２１０に取り付けられるとき、前記インジケーターランプ７２２４は外側に位置し、つまり、前記電池キャビティ口７２１０１の前記電池本体７２２９は、依然として使用者に観察され、前記インジケーターランプ７２２４は前記電池本体７２２９の余剰電力量を表示し、充電し、或いは前記電池本体７２２９を交換するように使用者をタイムリーに提示する。言い換えれば、前記電池接続部７２２３は前記第１端部７２２１に設けられ、前記インジケーターランプ７２２４は前記電池本体７２２９の前記第２端部７２２２に設けられ、つまり、前記電池本体７２２９が前記電池ボックス本体７２１９に取り付けられるとき、前記第１端部７２２１は内へ向けて前記電池ボックス本体７２１９の前記底部７２１２に接続し、前記第２端部７２２２は外へ向けて前記電池キャビティ口７２１０１に曝露され、前記インジケーターランプ７２２４が前記第２端部７２２２に取り付けられることにより前記電池本体７２２９が前記電池キャビティ７２１０に取り付けられるときに観察される。
【０１３６】
また、前記電池７２２は、さらに、少なくとも１つの制御スイッチ７２２７を含み、前記制御スイッチ７２２７は、前記電池本体７２２９の前記第２端部７２２２に設けられ、かつ前記制御スイッチ７２２７が前記電池本体７２２９に導通接続され、前記制御スイッチ７２２７により前記電池本体７２２９の作業状態を制御することができ、例えば、前記制御スイッチ７２２７により前記電池本体７２２９が前記電池接続部７２２３と前記電池ボックス接続部７２１３を介して前記移植機本体７１０に給電するか否かを制御することができる。好ましくは、前記電池本体７２２９が前記電池ボックス本体７２１９の前記電池キャビティ７２１０に保持されるとき、前記制御スイッチ７２２７は外部に曝露されて便利に操作される。
【０１３７】
前記電池ボックス本体７２１９は、前記移植機本体７１０に傾斜的に固定される。具体的には、前記電池ボックス本体７２１９は、前記移植機本体７１０の作業平面に対して傾斜して前記移植機本体７１０に設けられる。つまり、前記電池ボックス本体７２１９に取り付けられた前記電池本体７２２９と前記移植機の作業平面は、予めに設定される角度を呈している。
【０１３８】
前記電池本体７２２９が一定の重量と体積を有するので、前記電池ボックス本体７２１９は前記移植機に竪直に設けられると、使用者が前記電池本体７２２９を取り出したいとき、必ず前記電池本体７２２９のすべての重力を克服して前記電池本体７２２９を取り出す目的を達成し、それは、使用者にとっては不便である。さらに、竪直に設けられる前記電池ボックス本体７２１９は、竪直方向に非常に大きな空間を占め、前記移植機の体積を増大する可能性がある。
【０１３９】
好ましくは、前記電池ボックス本体７２１９は、上へ向けて傾斜して前記移植機本体７１０に設けられ、つまり、前記電池ボックス本体７２１９は、前記電池キャビティ口７２１０１が上へ向けて傾斜するように設けられ、前記電池本体７２２９が落とすことを防止する。
【０１４０】
前記電池ボックス本体７２１９と前記移植機本体７１０の作業平面との間は、予めに設置される夾角を有するように設けられ、使用者が前記電池本体７２２９を取り付けやすいと共に、前記電池本体７２２９が前記電池ボックス本体７２１９に保持されることもできる。
【０１４１】
具体的には、傾斜式前記電池ボックス本体７２１９は、使用されるとき、使用者が外へ前記電池本体７２２９を引き出すとき、傾斜角度の存在により、前記電池本体７２２９は、重力だけでなく、前記電池ボックス本体７２１９の前記周壁７２１１からの支持力を受け、つまり、使用者が前記電池本体７２２９をドラッグする引張力は減少され、それにより使用者は前記電池本体７２２９を容易に引き上げることができる。相応的には、使用者が前記電池本体７２２９を前記電池ボックス本体７２１９に入れる必要があるとき、その傾斜角度の存在により、使用者は、前記電池本体７２２９の重力作用を介して前記電池本体７２２９を前記電池ボックス本体７２１９の前記底部７２１２に推進することができると共に、竪直状態で前記電池本体７２２９の重力に相当する力を保持して前記電池本体７２２９が重力作用で突然に落として前記電池本体７２２９に衝撃することを防止する必要がない。
【０１４２】
さらに、前記電池７２２は、少なくとも１つの摺動部材７２２５を含み、前記摺動部材７２２５は、前記電池本体７２２９の背面に設けられ、それにより前記電池本体７２２９は、より便利に前記電池ボックス本体７２１９から取り出されることができる。好ましくは、前記摺動部材７２２５は、少なくとも１つのシーブとして実施され、前記電池本体７２２９が移動されるとき、前記シーブとして実施される前記摺動部材７２２５が相応的に移動され、それにより前記電池本体７２２９と前記電池ボックス本体７２１９の接触面(前記電池ボックス本体７２１９の内壁)との間の摩擦力を減少し、それにより前記電池本体７２２９は便利に移動される。好ましくは、前記シーブは、一部が曝露されるように前記電池本体７２２９の外側に設けられ、それにより前記シーブが占めた体積を減少して前記電池本体７２２９の体積を減少する。好ましくは、前記摺動部材７２２５は少なくとも１つのボールに設けられ、前記電池本体７２２９が移動されるとき、前記ボールは相応的に移動されて前記電池本体７２２９と前記電池ボックス本体７２１９の接触面との間の摩擦力を減少し、従って前記電池本体７２２９は便利に移動される。また、前記ボールは、いずれかの方向へ転がることができ、それにより前記電池本体７２２９は接触面において前記電池ボックス本体７２１９の接触面に沿って任意に移動することができる。好ましくは、前記ボールは、一部が前記電池本体７２２９の外側にカバーされて前記ボールの前記電池キャビティ７２１０における体積を減少し、従って前記電池本体７２２９全体の体積は減少される。
【０１４３】
さらに、前記エネルギー供給部７２０は、少なくとも１つのロック部材７２３を含み、其中前記ロック部材７２３は、前記電池ボックス本体７２１９の前記電池キャビティ口７２１０１付近に取り外し可能に設けられ、前記電池ボックス本体７２１９に取り付けられる前記電池本体７２２９をロックし、それにより前記電池本体７２２９は前記電池ボックス本体７２１９の前記電池キャビティ７２１０に保持され、従って前記移植機が使用過程において、前記電池本体７２２９が衝撃を受けて前記電池ボックス本体７２１９から落下することを防止し、或いは前記電池本体７２２９が前記電池ボックス本体７２１９に摺動することにより前記電池接続部７２２３と前記電池ボックス接続部７２１３とが接触不良になる不良現象を回避する。好ましくは、前記ロック部材７２３は、ピンとして設置され、前記ピンの両端は、前記電池キャビティ口７２１０１に亘るように設けられ、それにより前記ピンは前記電池本体７２２９が外へ移動することを防止することができる。
【０１４４】
具体的には、前記ロック部材７２３は、可動棒７２３１を含み、前記電池ボックス本体７２１９の前記周壁７２１１の両側には、それぞれ挿通孔７２３２が設けられ、各前記挿通孔７２３２は、それぞれ前記電池キャビティ７２１０を連通し、前記可動棒７２３１は、一端が前記挿通孔７２３２に取り外し可能に接続し、他端が別の前記挿通孔７２３２に取り外し可能に接続するように設けられ、前記挿通孔７２３２は、それぞれ前記電池ボックス本体７２１９の前記電池キャビティ口７２１０１の両側に設けられ、それにより前記可動棒７２３１が前記挿通孔７２３２に保持されるとき、前記電池本体７２２９は前記電池キャビティ口７２１０１を介して前記電池キャビティ７２１０から脱落することを防止し、或いは前記電池本体７２２９が前記電池ボックス本体７２１９の前記電池キャビティ７２１０に摺動することを防止することができる。前記移植機が作業するとき、地面又は設備自体は、一定の振動を発生し、前記電池ボックス本体７２１９の前記電池キャビティ７２１０に取り付けられる前記電池本体７２２９が相応する振動を受けた後に、一方、前記電池７２２の前記電池接続部７２２３と前記電池ボックス７２１の前記電池ボックス接続部７２１３との間は、持続的に振動を発生し、このような状況が続けば、この箇所の相応する接続口と接続ヘッドとの間の接続が正常に機能することができず、さらに前記電池７２２の前記電池接続部７２２３と前記電池ボックス７２１の前記電池ボックス接続部７２１３とが瞬間に分離して前記移植機本体７１０に対するエネルギー供給が停止され、従って作動を停止し、或いは、その後の時点に前記電池接続部７２２３と前記電池ボックス接続部７２１３が瞬間に結合してエネルギー供給を続け、つまり、前記電池接続部７２２３及び前記電池ボックス接続部７２１３は、持続的な抜き差し過程にあり、それは、設備全体に対して大きな影響を与え、設備を燃え上がる可能性もある。他方、前記電池ボックス本体７２１９が揺れ環境にあり、そのうちの前記電池本体７２２９の精密部材を損害する可能性があり、最も悪い結果、前記電池本体７２２９が前記電池ボックス本体７２１９から落として壊して前記移植機が作業を停止する。
【０１４５】
前記ロック部材７２３の前記可動棒７２３１は、一端が曲げるように設けられ、それにより前記可動棒７２３１の湾曲端が相応する前記挿通孔７２３２を通過することができず、従って、前記可動棒７２３１は、湾曲端で前記電池ボックス本体７２１９から分離することができず、前記可動棒７２３１は、別の真っすぐな端部を介して前記電池ボックス本体７２１９から取り外れることができ、湾曲端を介して前記電池ボックス本体７２１９に固定されることもできる。
【０１４６】
前記ロック部材７２３の数は、１つに限定されず、前記電池本体７２２９の正常かつ安定的なエネルギー供給を保証するために、前記電池ボックス本体７２１９は、複数の前記ロック部材７２３が設けられることができる。
【０１４７】
図１８Ａに示すように、本発明による前記移植機のもう１つの変形実施例であって、本実施例が上記実施例との相違は、前記ロック部材７２３Ａにある。
【０１４８】
具体的には、図１８Ａに示す本変形実施例において、本発明に係るロック部材７２３Ａは、さらに、少なくとも１つの可動棒７２３１Ａと少なくとも１つのロック素子７２３２Ａを含み、各前記ロック素子７２３２Ａは、それぞれ前記電池本体７２２９の前記第２端部７２２２に設けられ、かつ各前記ロック素子７２３２Ａにはそれぞれ少なくとも１つのピンホール７２３２１Ａが設けられ、前記電池ボックス本体７２１９の前記周壁７２１１の両側には、それぞれ挿通孔７２３１２Ａが設けられる。前記電池本体７２２９が前記電池ボックス本体７２１９の前記電池キャビティ７２１０に保持されるとき、各前記ロック素子７２３２Ａの前記ピンホール７２３２１Ａは前記電池ボックス本体７２１９の各前記挿通孔７２３１２Ａに対応し、前記可動棒７２３１Ａが同時に前記挿通孔７２３１２Ａと前記ピンホール７２３２１Ａに保持され、それにより前記電池本体７２２９は安定かつ信頼的に前記電池ボックス本体７２１９の前記電池キャビティ７２１０に保持される。
【０１４９】
図１８Ｂに示すように、本発明による前記移植機のもう１つの変形実施例は示され、前記変形実施例が上記実施例との相違は、前記電池ボックス７２１にある。
【０１５０】
具体的には、前記電池ボックス７２１の前記電池ボックス本体７２１９は、前記底部７２１２と前記底部７２１２の周縁から外へ延伸する前記周壁７２１１を含み、前記周壁７２１１と前記底部７２１２との間に前記電池キャビティ７２１０を区画し、前記電池キャビティ７２１０は前記電池本体７２２９を収納することに用いられ、前記電池キャビティ７２１０の大きさは、前記電池本体７２２９より大きくて前記電池本体７２２９を収納する。
【０１５１】
前記電池ボックス７２１は、さらに、カバー７２１４を含み、前記カバー７２１４は、前記電池ボックス本体７２１９に分離可能に設けられ、前記カバー７２１４を介して前記電池キャビティ口７２１０１をカバーしてその内に収納される前記電池本体７２２９を保護すると共に、外界の汚染物が前記電池本体７２２９に進入することを防止し、前記カバー７２１４は、前記電池ボックス本体７２１９に可動に設けられ、それにより前記電池ボックス本体７２１９の前記電池キャビティ口７２１０１は、オープンし又はクローズすることができ、従って前記電池本体７２２９は取り外し、或いは取り付けることができる。例えば、前記カバー７２１４は、前記電池ボックス本体７２１９に軸接続される。
【０１５２】
さらに、前記電池ボックス７２１は、少なくとも１つの弾性部品７２１５を含み、前記弾性部品７２１５は、前記電池本体７２２９の前記第２端部７２２２と前記電池ボックス７２１の前記カバー７２１４との間に設けられ、それにより前記移植機が使用過程において前記電池本体７２２９と前記電池ボックス本体７２１９に対して印加する振動は前記弾性部品７２１５により緩衝され、前記電池接続部７２２３と前記電池ボックス接続部７２１３との間の揺れを減少し、それにより相応する接続口と接続ヘッドの使用寿命を延長する。好ましくは、前記弾性部品７２１５は、前記カバー７２１４内側に設けられ、それにより、前記カバー７２１４がクローズされるとき、前記弾性部品７２１５が前記カバー７２１４と前記電池本体７２２９の前記第２端部７２２２との間に保持され、それにより、前記弾性部品７２１５は衝撃吸収及び保護作用を発揮することができ、前記カバー７２１４がオープンされるとき、前記弾性部品７２１５は、前記電池本体７２２９の取付け及び取り外しを影響しない。好ましくは、前記弾性部品７２１５は、スポンジ又はフォームであってもよいが、それに限定されていない。
【０１５３】
また、前記電池は、さらに、ハンドル７２２６を含み、前記ハンドル７２２６は、前記電池本体７２２９の前記第２端部７２２２、つまり前記電池本体７２２９の外側に設けられ、それにより前記電池本体７２２９が前記電池ボックス本体７２１９に取り付けられるとき、使用者は、前記ハンドル７２２６により前記電池本体７２２９を引き出し、或いは前記電池本体７２２９を前記電池ボックス本体７２１９に押し込むことができる。
【０１５４】
さらに、前記電池ボックス本体７２１９の前記周壁７２１１と前記底部７２１２は、一体成形に設けられて前記電池ボックス本体７２１９の密封性を増加し、従って前記移植機が雨天で野外に使用されるとき、水が前記電池ボックス本体７２１９に進入する可能性を減少する。それでも、前記電池ボックス本体７２１９の前記周壁７２１１及び前記底部７２１２は、それぞれ形成してもよく、その後に前記周壁７２１１と前記底部７２１２とを一体に取り付け、前記周壁７２１１と前記底部７２１２との間に前記電池キャビティ７２１０と前記電池キャビティ７２１０を連通する前記電池キャビティ口７２１０１とを形成する。
【０１５５】
図１９に示すように、本発明による前記移植機の別の変形実施例であって、前記変形実施例が上記好適な実施例との相違は、前記電池接続部７２２３と前記電池ボックス接続部７２１３にある。
【０１５６】
具体的には、前記電池７２２の前記電池接続部７２２３は、少なくとも１つの電池接続口７２１３１を含み、相応的には、前記電池ボックス接続部７２１３は少なくとも１つの電池接続ヘッド７２２３１を含み、前記電池接続口７２１３１と前記電池接続ヘッド７２２３１は、それぞれ、前記電池本体７２２９及び前記電池ボックス本体７２１９の予めに設定される位置に設けられ、それにより前記電池本体７２２９が前記電池ボックス本体７２１９に取り付けられるとき、前記電池接続口７２１３１は、前記電池接続ヘッド７２２３１にちょうど自動的に挿接される。言い換えれば、使用者が特別に前記電池接続口７２１３１と前記電池接続ヘッド７２２３１を位置合わせする必要がなく、前記電池本体７２２９を前記電池ボックス本体７２１９に挿入すれば前記電池接続口７２１３１と前記電池接続ヘッド７２２３１との間の接続を完了し、かつ一度、前記電池接続口７２１３１が前記電池接続ヘッド７２２３１に導通されると、前記電池本体７２２９は、前記移植機本体７１０に対して電気エネルギーを提供することができ、それにより前記移植機本体７１０は正常に作業することができる。
【０１５７】
さらに、前記電池接続部７２２３は、少なくとも１つの固定接続口７２１３２を含み、相応的には、前記電池ボックス接続部７２１３は、少なくとも１つの固定接続ヘッド７２２３２を含み、前記固定接続口７２１３２と前記固定接続ヘッド７２２３２は、それぞれ、前記電池本体７２２９及び前記電池ボックス本体７２１９の予めに設定される位置に設けられ、それにより前記電池本体７２２９が前記電池ボックス本体７２１９に取り付けられるとき、前記固定接続ヘッド７２２３２は、前記固定接続口７２１３２にちょうど自動的に挿接される。言い換えれば、使用者が特別に前記固定接続ヘッド７２２３２と前記固定接続口７２１３２を位置合わせする必要がなく、前記電池本体７２２９を前記電池ボックス本体７２１９に挿入すれば前記固定接続口７２１３２と前記固定接続ヘッド７２２３２との間の接続を完了することができ、前記固定接続口７２１３２及び前記固定接続ヘッド７２２３２は、前記電池本体７２２９に対して固定作用を発揮して前記電池本体７２２９を前記電池ボックス本体７２１９により良好に固定し、従って前記電池本体７２２９と前記電池ボックス本体７２１９との接続箇所の摩擦を減少する。
【０１５８】
さらに、前記電池接続部７２２３は、少なくとも１つの検出接続口７２１３３を含み、相応的には、前記電池ボックス接続部７２１３は、少なくとも１つの検出接続ヘッド７２２３３を含み、前記検出接続口７２１３３と前記検出接続ヘッド７２２３３は、それぞれ、前記電池接続部７２２３及び前記電池ボックス接続部７２１３の予めに設定される位置に設けられ、それにより前記電池本体７２２９が前記電池ボックス本体７２１９に取り付けられるとき、前記検出接続口７２１３３は、前記検出接続ヘッド７２２３３に自動的に導通される。言い換えれば、使用者が特別に前記検出接続ヘッド７２２３３と前記検出接続口７２１３３を位置合わせする必要がなく、前記電池本体７２２９を前記電池ボックス本体７２１９に挿入すれば前記検出接続口７２１３３と前記検出接続ヘッド７２２３３との間の導通を完了し、従って前記電池本体７２２９の余剰電力量が検出されると共に、使用者にフィードバックされることができ、タイムリーに充電し、タイムリーに前記電池本体７２２９を交換するように使用者に提示される。
【０１５９】
図２０に示すように、本発明による上記好適な実施例の前記移植機の別の変形実施例である。
【０１６０】
前記移植機の前記エネルギー供給部７２０は、少なくとも２つの前記電池ボックス７２１と少なくとも２つの前記電池７２２を含む。図２０に示すように、前記エネルギー供給部７２０が２つの前記電池ボックス７２１と前記電池７２２を含むとき、前記電池ボックス７２１は、前記移植機本体７１０の両側に傾斜に設けられ、それにより前記移植機全体は、バランス状態になり、前記移植機の重心をできるだけ前記移植機の中心位置に近接させ、使用者は前記移植機を便利に操作すると共に、前記移植機自体は、相対的安定な状態に保持する。それぞれ各前記電池ボックス７２１に保持される２つの前記電池７２２も前記移植機本体７１０の両側に対称的に保持される。
【０１６１】
そのうちの１つの前記電池７２２又は前記電池ボックス７２１が故障を発生するとき、別の前記電池７２２又は前記電池ボックス７２１は、単独に前記移植機本体７１０に対して電気エネルギーを提供することができ、前記移植機の正常作業を維持する。
【０１６２】
好ましくは、前記電池ボックス７２１の数は、１つのみであるとき、図１６に示すように、前記電池ボックス７２１は、前記移植機本体７１０の重心位置に設けられ、それにより前記電池ボックス７２１の前記電池キャビティ７２１０に保持される前記電池７２２も前記移植機本体７１０の重心位置に保持され、それにより、前記電池７２２及び前記電池ボックス７２１の重力は、均一に分散して使用者の負担を減少し、前記移植機のバランス性を容易に保証することができる。
【０１６３】
好ましくは、前記電池ボックス７２１の数が奇数個であるとき、そのうちの１つの前記電池ボックス７２１が前記移植機の重心位置に設けられ、それにより前記電池７２２及び前記電池ボックス７２１の重心は、前記移植機本体７１０全体に均一に分散し、残りの偶数個の前記電池ボックス７２１と前記電池７２２は、それぞれ、前記移植機の両側に平均的に設けられ、それにより前記電池ボックス７２１及び前記電池７２２は、前記移植機本体７１０と平衡状態に達する。
【０１６４】
好ましくは、前記電池ボックス７２１の数が偶数個であるとき、前記電池ボックス７２１は、前記移植機本体７１０の両側に平均的に設けられ、それにより、前記電池７２２が前記電池ボックス７２１に取り付けられるとき、前記移植機は平衡状態にあり、或いは、偶数個の前記電池ボックス７２１が前記移植機の重心位置に設けられ、それにより前記電池ボックス７２１及び前記電池７２２の重心は、前記移植機本体７１０全体に均一に分散し、残りの偶数個の前記電池ボックス７２１と前記電池７２２は、前記移植機の両側に平均的に設けられ、それにより得前記電池ボックス７２１及び前記電池７２２は、前記移植機本体７１０と平衡状態に達する。
【０１６５】
好ましくは、前記電池ボックス本体７２１９の向きは、前記移植機の移動方向に沿うように設けられ、つまり、前記移植機の移動方向と同一平面にあり、それにより、使用者は、前記移植機の前方又は後方に前記電池本体７２２９を便利に移動することができる。
【０１６６】
図２１Ａに示すように、本発明による前記移植機についての別の変形実施例であり、前記実施例が上記実施例との相違は、前記電池接続部７２２３及び前記電池ボックス接続部７２１３にある。
【０１６７】
具体的には、前記電池ボックス接続部７２１３は、少なくとも１つの電池接続ヘッド７２２３１Ａを含み、前記電池接続ヘッド７２２３１Ａは、前記電池ボックス本体７２１９の前記底部７２１２に可動に接続される。相応的には、前記電池接続部７２２３は、少なくとも１つの電池接続口７２１３１Ａを含み、前記電池接続ヘッド７２２３１Ａと前記電池接続口７２１３１Ａは、それぞれ、前記電池ボックス接続部７２１３及び前記電池接続部７２２３の予めに設定される位置に設けられ、それにより前記電池本体７２２９が前記電池ボックス本体７２１９に取り付けられるとき、前記電池接続ヘッド７２２３１Ａは前記電池接続口７２１３１Ａに導通される。具体的には、前記電池接続ヘッド７２２３１Ａは、前記電池ボックス本体７２１９の前記底部７２１２から内に突起するように延伸して形成すると共に、前記電池接続ヘッド７２２３１Ａは、可動の方式で前記底部７２１２に接続し、つまり、前記電池本体７２２９が前記電池ボックス本体７２１９に取り付けられるとき、前記電池接続ヘッド７２２３１Ａは前記電池接続ヘッド７２２３１Ａに接触して前記移植機の回路が導通されると共に、使用過程では、前記移植機整体が前進する過程において妨げられて衝撃を発生する可能性があり、前記電池接続ヘッド７２２３１Ａと前記電池接続口７２１３１Ａとの間が一定の変位を発生し、しかし、前記電池接続ヘッド７２２３１Ａが可動的なものであるので、前記電池接続ヘッド７２２３１Ａと前記電池接続口７２１３１Ａは、一定の移動範囲に、依然として接触状態に保持される。言い換えれば、一定の可動範囲に、前記電池本体７２２９は依然として前記移植機本体７１０に対してエネルギーを供給することができる。
【０１６８】
前記電池接続ヘッド７２２３１Ａは、弾性触片として設置され、圧力を受けるとき、前記電池ボックス本体７２１９の前記底部７２１２に近接する方向へ運動することができ、圧力を受けなく、或いは圧力が減少するとき、前記電池ボックス本体７２１９の前記底部７２１２から離れる方向へ運動することができる。
【０１６９】
好ましくは、前記電池ボックス接続部７２１３は、さらに、検出接続ヘッド７２２３３Ａを含み、前記検出接続ヘッド７２２３３Ａは、前記底部７２１２に可動に接続され、つまり、前記検出接続ヘッド７２２３３Ａは一定の弾性を有し、前記底部７２１２へ近接してもよく、前記底部７２１２から離れてもよい。相応的には、前記電池接続部７２２３は、さらに、検出接続口７２１３３Ａを含み、前記検出接続ヘッド７２２３３Ａと前記検出接続口７２１３３Ａは、それぞれ、前記電池ボックス接続部７２１３及び前記電池接続部７２２３の予めに設定される位置に設けられ、それにより前記電池本体７２２９が前記電池ボックス本体７２１９の前記電池キャビティ７２１０に取り付けられるとき、前記検出接続ヘッド７２２３３Ａは前記検出接続口７２１３３Ａに導通される。言い換えれば、使用者が前記電池本体７２２９を前記電池ボックス本体７２１９に取り付ければ、故意に前記検出接続口７２１３３Ａ及び前記検出接続ヘッド７２２３３Ａに位置合わせする必要がなく、一度前記電池本体７２２９が前記電池ボックス本体７２１９に取り付けられると、それぞれ予めに設定される位置にある前記検出接続口７２１３３及び前記検出接続ヘッド７２２３３Ａは、すぐ自動的に導通される。
【０１７０】
好ましくは、前記検出接続ヘッド７２２３３Ａは、弾性触片であり、それにより前記検出接続ヘッド７２２３３Ａが一定の範囲に移動するときに、依然として前記検出接続口７２１３３Ａに導通接続されることができ、従って、前記移植機が運動するとき、前記電池本体７２２９と前記電池ボックス本体７２１９が一定の範囲に相対変位すると、前記電池本体７２２９の前記検出接続口７２１３３Ａは前記検出接続ヘッド７２２３３Ａに導通接続され、それにより前記移植機は、正常に作業することができる。
【０１７１】
勿論、前記電池本体７２２９の前記第１端部７２２１及び前記電池ボックス本体７２１９の前記底部７２１２にそれぞれ設けられる前記電池接続口７２１３１Ａと前記電池接続ヘッド７２２３１Ａとの間の位置は、入れ替えることができ、上記位置に限定されず、導通されることができればよい。
【０１７２】
類似的には、前記電池本体７２２９の前記第１端部７２２１及び前記電池ボックス本体７２１９の前記底部７２１２にそれぞれ設けられる前記検出接続口７２１３３Ａと前記検出接続ヘッド７２２３３Ａとの間の位置は、入れ替えることができ、上記の位置に限定されず、導通されることができればよい。
【０１７３】
また、一度、前記検出接続口７２１３３Ａと前記検出接続ヘッド７２２３３Ａとが導通されるとき、前記電池本体７２２９の余剰電力量を検出することができるだけでなく、前記移植機の電力消費を検出することもできる。
【０１７４】
図２１Ｂに示すように、上記好適な実施例の前記移植機についての別の変形実施例であって、前記実施例が上記実施例との相違は、前記電池接続部７２２３及び前記電池ボックス接続部７２１３にある。
【０１７５】
前記電池接続部７２２３は、前記電池本体７２２９の前記第１端部７２２１の予めに設定される位置に設けられ、前記電池ボックス接続部７２１３は、前記電池ボックス本体７２１９の前記底部７２１２の予めに設置される位置に設けられ、それにより前記電池本体７２２９が前記電池ボックス本体７２１９の前記電池キャビティ７２１０に取り付けられるとき、前記電池接続部７２２３は、前記電池ボックス接続部７２１３に自動的に導通接続され、従って、前記電池本体７２２９は、前記移植機本体７１０にエネルギーを供給することができ、前記移植機を正常に作業させる。
【０１７６】
具体的には、前記電池ボックス接続部７２１３は、少なくとも１つの電池接続ヘッド７２２３１Ｂを含み、図２１Ｂに示すように、前記電池接続ヘッド７２２３１Ｂは導電ばねとして設置される。相応的には、前記電池接続部７２２３は、少なくとも１つの電池接続口７２１３１Ｂを含み、前記電池接続口７２１３１Ｂが前記電池接続部７２２３の予めに設定される位置に設けられ、それにより前記電池本体７２２９が前記電池ボックス本体７２１９に取り付けられるとき、前記電池接続口７２１３１Ｂは、前記電池接続ヘッド７２２３１Ｂに導通接続される。前記電池接続ヘッド７２２３１Ｂが弾性を有するので、前記電池本体７２２９と前記電池ボックス本体７２１９とが相対変位を発生するとき、例えば、前記電池接続部７２２３と前記電池ボックス接続部７２１３とが僅かに分離するとき、前記電池接続ヘッド７２２３１Ｂが受けた圧力は減少し、それにより、前記電池接続ヘッド７２２３１Ｂは、前記底部７２１２の外部へ伸びだし、前記電池接続口７２１３１Ｂとの接触を保持して前記電池本体７２２９が継続的に前記移植機にエネルギーを供給することができる。言い換えれば、前記電池本体７２２９が前記電池ボックス本体７２１９に往復移動するとき、前記弾性電池接続ヘッド７２２３１Ｂの存在により、前記電池接続口７２１３１Ｂと前記電池接続ヘッド７２２３１Ｂとの間は、依然として導通される状態に保持されて継続的に前記移植機にエネルギーを供給することができる。
【０１７７】
前記弾性電池接続ヘッド７２２３１Ｂ及び前記電池接続口７２１３１Ｂは、共に、一定の接触断面積を有するように設けられ、それにより前記電池本体７２２９が前記電池ボックス本体７２１９の前記底部７２１２に沿って往復移動するとき、前記電池接続口７２１３１Ｂ及び前記電池接続ヘッド７２２３１Ｂは、依然として導通状態に保持される。
【０１７８】
好ましくは、前記電池ボックス接続部７２１３は、さらに、少なくとも１つの検出接続ヘッド７２２３３Ｂを含み、前記検出接続ヘッド７２２３３Ｂは前記電池ボックス接続部７２１３の予めに設定される位置に設けられる。相応的には、前記電池接続部７２２３は、さらに、少なくとも１つの検出接続口７２１３３Ｂを含み、前記検出接続口７２１３３Ｂが前記電池接続部７２２３の予めに設置される位置に設けられることにより、前記電池本体７２２９が前記電池ボックス本体７２１９に取り付けられるとき、前記検出接続ヘッド７２２３３Ｂは前記検出接続口７２１３３Ｂに自動的に導通接続されて前記電池本体７２２９の余剰電力量が検出される。
【０１７９】
類似的には、前記検出接続ヘッド７２２３３Ｂは、導電ばねとして設けられ、前記検出接続ヘッド７２２３３Ｂが圧力を受けるとき、その長さは変化する。つまり、前記電池本体７２２９と前記電池ボックス本体７２１９とが相対変位を発生するとき、前記検出接続ヘッド７２２３３Ｂは、一定の範囲に変形して前記検出接続口７２１３３Ｂとの導通状態を保持する。
【０１８０】
前記電池接続ヘッド７２２３１Ｂは、検出式接続ヘッドであってもよく、つまり、前記電池ボックス接続部７２１３の接続ヘッドは、集積式接続ヘッドであってもよく、前記移植機の作動回路を導通することができるだけでなく、前記移植機の検出回路を導通することもでき、勿論、前記電池接続ヘッド７２２３１Ｂと前記検出接続ヘッド７２２３３Ｂは、分離して設置することもできる。
【０１８１】
類似的には、前記電池接続口７２１３１Ｂ及び前記検出接続口７２１３３Ｂは、同一接続口であってもよく、それぞれ分離してもよい。
【０１８２】
勿論、前記電池接続ヘッド７２２３１Ｂ及び前記電池接続口７２１３１Ｂの位置は、実際の必要に応じて入れ替えることができ、類似的には、前記検出接続ヘッド７２２３３Ｂ及び前記検出接続口７２１３３Ｂの位置は入れ替えることもでき、お互いに導通されることができればよい。
【０１８３】
図２２〜図２７に示すように、本発明の別の形態によれば、本発明は、さらに、短絡防止な移植機８１００を提供し、前記移植機８１００(本発明における前記移植機８１００は、上記短絡防止な移植機８１００である)は、給電部８１０と移植機本体８２０を含み、前記移植機本体８２０は固定部８２１を有し、前記給電部８１０は、電源８１１と導電部材８１２を含み、前記導電部材８１２は前記移植機本体８２０の回路に電気接続し、かつ前記導電部材８１２は前記固定部８２１に設けられ、前記電源８１１は通電部材８１１１と給電本体８１１２を含み、前記給電本体８１１２は取付部８１１２１を有し、前記通電部材８１１１は前記取付部８１１２１に設けられ、前記通電部材８１１１は前記給電本体８１１２に電気接続し、前記電源８１１が前記固定部８２１に取り付けられるとき、前記通電部材８１１１は前記導電部材８１２に電気接続し、それにより前記電源８１１で前記移植機本体８２０に電気エネルギーを提供することができ、かつ前記通電部材８１１１及び前記導電部材８１２は前記固定部８２１と前記取付部８１１２１との間に包覆され、導電液体が前記導電部材８１２及び前記通電部材８１１１と接触して短絡を発生することを回避する。
【０１８４】
以上の説明によれば、前記移植機８１００が雨天に使用されるとき、導電液体、例えば、雨水が前記給電本体８１１２の外壁のみに沿って流動し、前記導電部材８１２及び前記通電部材８１１１と接触することができないと分かる。
【０１８５】
前記移植機本体８２０の前記固定部８２１の四周は、上へ延伸して側壁８２２を形成し、前記固定部８２１と前記側壁８２２は収容室８２１０を形成し、前記収容室８２１０は開口８２１００を有し、本発明の一実施例において、前記電源８１１は、前記開口８２１００を介して前記収容室８２１０に入れられることができると共に、前記収容室８２１０から取り出されることもでき、前記電源８１１が前記開口８２１００を介して前記収容室８２１０に入れられるとき、前記電源８１１は、前記導電部材８１２に電気接続され、それにより前記電源８１１が前記移植機本体８２０に対して電気エネルギーを提供することができる。
【０１８６】
本発明の別の実施例において、前記電源８１１は、前記移植機本体８２０に直接的に固定されることができ、ユーザが前記電源８１１を外界の充電装置に接続することにより前記電源８１１に電気エネルギーを補充することができ、本発明は、この点で制限されていない。
【０１８７】
好ましくは、本発明では、前記電源８１１は、前記移植機本体８２０の前記固定部８２１に取り外し可能に取り付けられるように実施され、当業者が、さらに、本発明を明瞭に理解するために、以下の実施例において、前記電源８１１が前記移植機本体８２０の前記固定部８２１に取り外し可能に取り付けられることを例として説明する。
【０１８８】
さらに、本発明の実施例では、前記移植機本体８２０は、ケース、フィードレーキ、苗案内管、苗サポート装置、オープナー及び土入れ押し付けローラ、伝動部材などの作業部材を含むが、それに限定されず、前記導電部材８１２は、前記移植機本体８２０に電気接続され、それにより前記導電部材８１２が前記電源８１１に電気接続されるとき、前記短絡防止な移植機８１００は作業することができる。
【０１８９】
具体的には、本実施例において、前記電源８１１が前記導電部材８１２に通電接続された後に、前記短絡防止な移植機８１００は、駆動されて運動され、かつ前記移植機本体８２０の前記他の作業部材も駆動され、本発明は、この点で制限されない。
【０１９０】
本発明の実施例において、前記電源８１１が前記導電部材８１２に通電接続された後、前記短絡防止な移植機８１００に対して動力を提供することができ、かつ前記電源８１１の電気エネルギーが不足して前記短絡防止な移植機８１００を駆動して作動させることができないとき、ユーザは、直接的に前記電源８１１を交換し、或いは、家で前記電源８１１を充電することにより前記短絡防止な移植機８１００に対して電気エネルギーを補充し、つまり、本発明に係る短絡防止な移植機８１００によれば、ユーザにより便利に前記電源を交換することができる。
【０１９１】
前記短絡防止な移植機８１００は、さらに、蓋体８３０を含み、本発明の一実施例において、前記蓋体８３０は、前記側壁８２２に取り外し可能に取り付けられ、前記蓋体８３０が前記側壁に取り付けられるとき、前記開口は前記蓋体８３０にカバーされ、つまり、前記蓋体８３０は前記開口８２１００をカバーすることができるように設けられ、それにより導電液体が前記開口８２１００を介して前記収容室８２１０に流入することを回避する。
【０１９２】
本発明の別の実施例において、前記蓋体８３０は、前記移植機本体８２０に回動可能に接続され、より好ましくは、前記蓋体８３０は、前記移植機本体８２０に軸回転可能に接続し、それによりユーザが前記蓋体を回動することにより前記開口８２１００をオープン状態とクローズ状態との間に切り替えることができる。
【０１９３】
本発明の実施例において、前記蓋体８３０は、前記移植機本体８２０に取り外し可能に設けられ、本発明は、この点で制限されない。さらに、本発明の実施例において、前記側壁８２２は、突出部８２２１を有し、前記蓋体８３０は蓋体部８３１と周縁部８３２を含み、前記周縁部８３２は、前記蓋体部８３１に一体に延伸し、前記蓋体部８３１が前記開口８２１００にカバーするとき、前記突出部８２２１が前記蓋体の前記周縁部８３２に包覆し、それにより外界の導電液体が前記開口８２１００を介して前記収容室８２１０に進入することを回避することができる。
【０１９４】
本実施例において、前記蓋体８３０は、前記移植機本体８２０に回動可能に接続されるとき、前記蓋体８３０は、回動位置に固定され、従って前記移植機本体８２０に設けられる前記導電部材８１２が完全に露出されることを回避し、それにより導電液体が直接的に落ち込んで前記導電部材８１２に接触することを防止する。
【０１９５】
本発明において、以上の蓋体８３０は、当業者が本発明を理解するために挙げられる例示的なものであり、当業者は、そのほかの明らかな変形を容易に想到することができる。
【０１９６】
前記短絡防止な移植機８１００は、さらに、少なくとも１つの弾性部材８４０を含み、前記弾性部材８４０は、前記蓋体８３０に固定される。具体的には、前記弾性部材８４０は、前記蓋体８３０の前記蓋体部８３１及び前記周縁部８３２に固定され、前記電源８１１が前記収容室８２１０に置かれ、かつ前記蓋体８３０が前記開口８２１００にカバーするとき、前記弾性部材８４０は前記蓋体８３０と前記給電本体８１１２との間に位置し、かつ前記弾性部材８４０は圧縮状態にあり、それにより、前記電源８１１は、前記収容室８２１０に安定的に固定され、また、前記周縁部８３２と前記側壁８２２との間に介在する前記弾性部材８４０も圧縮状態にあり、それにより導電液体が前記開口８２１００を介して前記収容室８２１０に進入することを回避することができる。
【０１９７】
本発明の実施例において、前記弾性部材８４０は、前記蓋体８３０の蓋体部８３１及び前記周縁部８３２に固定され、つまり、前記蓋体８３０が前記開口８２１００にカバーし、かつ前記電源８１１が前記収容室８２１０に位置するとき、前記弾性部材８４０が前記蓋体８３０の前記蓋体部８３１と前記給電本体８１１２との間に介在すると共に、前記蓋体８３０の前記周縁部８３２と前記突出部８２２１との間に介在し、かつ前記弾性部材８４０は圧縮される状態にある。一方、圧縮状態にあり、かつ前記蓋体８３０の前記蓋体部８３１と前記給電本体８１１２との間に介在する前記弾性部材８４０により、前記電源８１１が前記電源８１１を取り出す方向に沿って移動することを回避することができ、他方、前記蓋体８３０の前記周縁部８３２と前記側壁８２２との間に介在する前記弾性部材８４０は、さらに、前記突出部８２２１に包覆され、それにより前記開口８２１００はシールされ、つまり、このとき、導電液体、特に、水は、前記開口を介して前記収容室８２１０へ流動することができず、前記収容室８２１０底部の前記導電部材８１２に接触することができず、短絡現象の発生を回避する。
【０１９８】
本発明の実施例において、前記電源８１１は、電池として実施され、好ましくは、リチウム電池として実施され、前記電源８１１が前記収容室８２１０に置かれるとき、前記電源８１１の前記通電部材８１１１は前記導電部材８１２に通電接続され、つまり、本発明の実施例において、ユーザが前記電源８１１を交換する必要があるとき、前記収容室８２１０から前記電源８１１を取り出して交換すればよく、ユーザは、快速に前記電源８１１を交換することができる。
【０１９９】
具体的には、本発明の実施例において、前記通電部材８１１１は、正極通電柱と負極通電柱として実施される。本発明の実施例において、前記固定部８２１は、さらに、２つの収容溝８２１１を形成し、前記給電部８１０の前記導電部材８１２は前記収容溝８２１１に設けられ、前記電源８１１が前記固定部８２１に取り付けられるとき、前記取付部８１１２１に位置する前記通電部材８１１１は、前記収容溝８２１１の前記導電部材８１２に挿接され、それにより前記導電部材８１２は前記電源８１１に通電接続され、つまり、本発明の実施例において、前記電源８１１が前記収容室８２１０に入れられる同時に、前記電源８１１は、前記導電部材８１２に通電接続される。また、本発明の実施例において、前記通電部材８１１１が前記収容溝８２１１に挿接された後に、前記電源８１１は、さらに、前記収容室８２１０に安定に固定される。
【０２００】
本発明の別の実施例において、前記収容溝８２１１は、前記取付部８１１２１に設けられ、前記通電部材８１１１は前記収容溝８２１１に設けられることができると共に、前記導電部材８１２は、一対の通電柱体として実施されることができ、本発明は、この点で制限されない。
【０２０１】
本発明の実施例において、好ましくは、前記収容室８２１０は、円柱体として実施することができるが、それに限定されず、より好ましくは、前記通電部材８１１１は、前記電源８１１の底部中心を対称中心として前記電源８１１に設けられる。
【０２０２】
本発明の別の実施例において、前記取付部８１１２１は、少なくとも１つの位置決めバンプ８１１２１１を有し、前記固定部８２１は、さらに、少なくとも１つの位置決め溝８２１２を有し、前記電源８１１が前記収容室８２１０に置かれるとき、前記位置決めバンプ８１１２１１は前記位置決め溝８２１２に挿接され、それにより前記電源８１１が前記固定部８２１に安定的に固定され、それにより前記短絡防止な移植機８１００が作業するときに振動して前記通電部材８１１１と前記導電部材８１２とが緩んで接触不良になることをさらに回避する。
【０２０３】
好ましくは、本発明の実施例において、前記位置決め溝８２１２は、前記固定部８２１の中心位置に設けられ、前記位置決めバンプ８１１２１１は前記電源８１１底部の中心位置に設けられ、それにより前記電源８１１が前記収容室８２１０に置かれるとき、前記位置決めバンプ８１１２１１は、前記位置決め溝８２１２に自動的に位置合わせし、より好ましくは、前記通電部材８１１１と少なくとも１つの前記位置決めバンプ８１１２１１との間が三角形に設けられ、それにより前記電源８１１がさらに前記収容室８２１０に固定される。
【０２０４】
好ましくは、前記取付部８１１２１は、さらに、環状壁８１１２１２を有し、前記環状壁８１１２１２は絶縁空間８１１２１０を形成し、前記通電部材８１１１は前記取付部８１１２１に設けられ、かつ絶縁空間８１１２１０に位置し、前記絶縁空間８１１２１０は開口８１１２１００を有する。さらに、前記固定部８２１は、さらに、環状溝８２１３を形成し、前記電源８１１が前記固定部８２１に取り付けられるとき、前記環状壁８１１２１２は前記環状溝８２１３に挿入されると共に、前記導電部材８１２と前記通電部材８１１１は導通され、かつ前記開口８１１２１００は前記固定部８２１にカバーされ、前記導電部材８１２及び前記通電部材８１１１は前記取付部８１１２１と前記固定部８２１との間に包覆され、それにより導電液体が前記絶縁空間８１１２１０に進入して前記導電部材８１２及び前記通電部材８１１１に接触することを回避する。
【０２０５】
また、前記側壁８２２には少なくとも１つの排流口８１３が開設されている。
【０２０６】
好ましくは、前記排流口８１３は、前記側壁８２２と前記固定部との間に設けられ、前記収容室８２１０には導電液体があるとき、導電液体は、前記排流口８１３を介して前記収容室８２１０から導出されることができ、従って、該導電液体が前記導電部材８１２及び前記通電部材８１１１に接触することを回避し、それにより短路防止な効果を実現する。
【０２０７】
本発明の実施例において、ユーザが前記電源８１１を前記収容室８２１０に置かれるとき、前記排流口８１３を介して、前記収容室８２１０における空気が前記排流口８１３を介して前記収容室８２１０から排出されることができ、従って、ユーザが前記電源８１１を前記収容室８２１０に入れる過程に気圧の妨害を減少し、従ってユーザは、より便利に前記電源８１１を交換することができる。
【０２０８】
本発明の実施例において、前記電源８１１は、少なくとも１つの位置制限部８１１３を有し、前記位置制限部８１１３は前記給電本体８１１２の側面に設けられ、前記電源８１１が前記固定部８２１に取り付けられるとき、前記位置制限部８１１３により前記電源８１１が前記収容室８２１０に揺れることを制限する。他方、ユーザが前記収容室８２１０から前記電源８１１を取り出すとき、前記位置制限部８１１３は前記給電本体８１１２の側面と前記側壁８２２との間の接触面積を減少することができ、それにより、ユーザは前記収容室８２１０から前記電源８１１を容易に取り出すことができる。他方、前記電源８１１が前記収容室８２１０に置かれ、かつ少量の導電液体、例えば、水が前記開口８２１００を介して前記収容室８２１０に流入するとき、前記位置制限部８１１３は、該導電液体の流速を減速し、それにより該導電液体が前記排流口８１３から排出される。
【０２０９】
本発明の実施例において、前記位置制限部８１１３は、好ましくは、半円柱体のバンプとして実施される。
【０２１０】
さらに、前記給電本体８１１２の頂面にはハンドル８１１４が設けられ、つまり、ユーザは、前記ハンドル８１１４を直接的に付勢することにより前記電源８１１を前記収容室８２１０から取り出すことができる。
【０２１１】
本実施例において、好ましくは、前記ハンドル８１１４は、前記給電本体８１１２の頂面に回動可能に設けられ、それにより、ユーザは、前記ハンドル８１１４を使用する必要があるとき、前記ハンドルを回動することができ、前記ハンドル８１１４を使用する必要がないとき、前記ハンドル８１１４は、前記電源８１１の頂部に折り畳まれる。
【０２１２】
さらに、前記電源８１１は、少なくとも１つのピン部８１１５を含み、前記ピン部８１１５は少なくとも１つのピンホール８１１５０を形成する。本実施例において、前記側壁８２２の前記突出部８２２１は、少なくとも２つの固定孔８２２１０を有し、前記固定孔８２２１０と前記ピンホール８１１５０は同一直線に位置している。さらに、前記短絡防止な移植機８１００はピン部材８５０を含み、前記電源８１１が前記収容室８２１０に固定される必要があるとき、前記ピン部材８５０は、前記ピンホール８１１５０と２つの前記固定孔８２２１０を通じて前記電源８１１をさらに固定する。
【０２１３】
前記電源８１１は、絶縁部８１１６を含み、前記絶縁部８１１６は前記給電本体８１１２に一体的に設けられる。本発明の実施例によれば、前記電源８１１が前記固定部８２１に取り付けられるとき、前記電源８１１の前記絶縁部８１１６が前記収容室８２１０の前記開口８２１００にカバーし、それにより導電液体が前記開口８２１００を介して前記収容室８２１０に流入することを回避することができる。具体的には、本発明の実施例において、前記絶縁部８１１６は、頂部８１１６１と前記頂部８１１６１に沿って下へ延伸する側部８１１６２を含み、前記絶縁部８１１６の前記頂部８１１６１と前記側部８１１６２及び前記給電本体８１１２の間に挿接溝８１１６０を形成し、前記電源８１１が前記固定部８２１に置かれて取り付けられるとき、前記側壁８２２の前記突出部８２２１は前記挿接溝８１１６０に挿入されると共に、前記通電部材８１１１は前記固定部８２１に設けられる前記導電部材８１２に電気接続し、それにより前記移植機本体８２０は前記電源８１１の前記給電本体８１１２に通電接続される。
【０２１４】
また、本実施例において、前記絶縁部８１１６は、絶縁材料から製造するように実施される。
【０２１５】
本実施例において、前記絶縁部８１１６の前記側部８１１６２は、導電液体が前記開口８２１００を介して前記収容室８２１０に進入することを止めることができる。
【０２１６】
本実施例において、前記突出部８２２１が前記挿接溝８１１６０に挿接されると共に、前記電源８１１が前記収容室８２１０に安定的に固定され、それにより前記移植機本体８２０が作業過程において揺すぶることによる前記通電部材８１１１及び前記導電部材８１２の緩みを回避する。
【０２１７】
本実施例において、前記短絡防止な移植機８１００は、前記蓋体８３０を追加的に設置することがしなくてもよく、導電液体が前記開口８２１００を介して前記収容室８２１０に進入することを回避する。
【０２１８】
本実施例において、前記短絡防止な移植機８１００は、前記蓋体８３０を含むことができ、前記蓋体８３０は、上記実施例と同じ方式で前記移植機本体８２０に設けられ、本発明の実施例では、前記蓋体８３０を重複して説明しない。前記電源が前記収容室８２１０に置かれた後、ユーザは、さらに前記蓋体８３０を操作することにより、前記蓋体８３０で前記電源８１１をカバーすることができる。
【０２１９】
前記挿接溝８１１６０には、さらに、前記弾性部材８４０が設けられ、それにより、前記電源８１１が前記固定部８２１に取り付けられるとき、前記弾性部材８４０は、前記突出部８２２１及び前記頂部８１１６１に押し付けられて圧縮状態にあり、それにより前記開口８２１００をさらにシールする。当業者は、そのほかの明らかな変形を容易に想到することができる。図２７に示すように、本発明は、以上の説明した実施例に基づいて組み合わせてなる別の変形実施例であり、本発明は、この点で制限しない。
【０２２０】
さらに、前記取付部８１１２１は凹溝８１１２１３を形成し、前記通電部材８１１１は前記取付部８１１２１に設けられかつ前記凹溝８１１２１３に位置し、前記固定部８２１は、さらに、突起８２１４を形成し、前記導電部材８１２は前記突起８２１４に設けられ、前記電源が前記固定部に取り付けられるとき、前記通電部材８１１１及び前記導電部材８１２は、前記固定部８２１と前記取付部８１１２１により前記凹溝８１１２１３に包覆され、それにより導電液体が前記導電部材８１２及び前記通電部材８１１１に接触し難い。
【０２２１】
さらに、前記凹溝８１１２１３箇所には前記弾性部材８４０が設けられることにより、前記電源８１１が前記固定部８２１に取り付けられるとき、前記弾性部材８４０は圧縮状態にあり、導電液体が前記導電部材８１２及び前記通電部材８１１１に接触することを止める。
【０２２２】
当業者は、そのほかの明らかな変形を容易に想到することができ、図２８は、本発明が以上の説明した実施例に基づいて組み合わせてなる別の変形実施例であり、本発明は、この点で制限されない。
【０２２３】
当業者は、上記説明及び図に示した本発明の実施例が例示的なものだけであり、本発明を限定しないと理解すべきである。本発明の目的は、もう完全かつ有効的に実現される。本発明の機構及び構成原理は、もう実施例に示されて説明したが、前記原理から離れる範囲で、本発明の実施形態は、いずれかの変形又は修正を行うことができる。
【図１】
2019534693.tif 000003
【図２Ａ】
2019534693.tif 000004
【図２Ｂ】
2019534693.tif 000005
【図３】
2019534693.tif 000006
【図４】
2019534693.tif 000007
【図５Ａ】
2019534693.tif 000008
【図５Ｂ】
2019534693.tif 000009
【図６Ａ】
2019534693.tif 000010
【図６Ｂ】
2019534693.tif 000011
【図７Ａ】
2019534693.tif 000012
【図７Ｂ】
2019534693.tif 000013
【図８Ａ】
2019534693.tif 000014
【図８Ｂ】
2019534693.tif 000015
【図９】
2019534693.tif 000016
【図１０】
2019534693.tif 000017
【図１１】
2019534693.tif 000018
【図１２】
2019534693.tif 000019
【図１３】
2019534693.tif 000020
【図１４Ａ】
2019534693.tif 000021
【図１４Ｂ】
2019534693.tif 000022
【図１５Ａ】
2019534693.tif 000023
【図１５Ｂ】
2019534693.tif 000024
【図１６Ａ】
2019534693.tif 000025
【図１６Ｂ】
2019534693.tif 000026
【図１７】
2019534693.tif 000027
【図１８Ａ】
2019534693.tif 000028
【図１８Ｂ】
2019534693.tif 000029
【図１９】
2019534693.tif 000030
【図２０】
2019534693.tif 000031
【図２１Ａ】
2019534693.tif 000032
【図２１Ｂ】
2019534693.tif 000033
【図２２】
2019534693.tif 000034
【図２３】
2019534693.tif 000035
【図２４】
2019534693.tif 000036
【図２５】
2019534693.tif 000037
【図２６】
2019534693.tif 000038
【図２７】
2019534693.tif 000039
【図２８】
2019534693.tif 000040
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
傾斜電池ボックスを備える移植機であって、
移植機本体とエネルギー供給部を含み、
前記エネルギー供給部は、さらに、
電池本体を含む少なくとも１つの電池と、
電池ボックス本体を含む少なくとも１つの電池ボックスとを含み、
前記電池ボックス本体は、電池キャビティと前記電池キャビティに連通する電池キャビティ口を有し、前記電池ボックス本体は、前記移植機本体に傾斜に設けられ、かつ前記電池キャビティ口は、傾斜して上へ向けて、前記電池本体は、前記電池キャビティ口を介して前記電池ボックス本体の前記電池キャビティに分離可能に設けられ、かつ前記電池本体が前記電池ボックス本体の前記電池キャビティに保持されるとき、前記電池本体及び前記移植機本体の回路は導通接続されることを特徴とする移植機。
【請求項２】
前記電池ボックス本体の数は、１つであり、前記電池ボックス本体は、前記移植機本体の重心位置に傾斜に設けられ、それにより前記電池ボックス本体の前記電池キャビティ内に保持される前記電池本体が前記移植機本体の重心位置に位置することを特徴とする請求項１に記載の移植機。
【請求項３】
前記電池ボックス本体の数は、２つであり、２つの前記電池ボックス本体は、前記移植機本体の両側に傾斜かつ相互対称的に設けられ、かつ前記移植機本体の重心位置の両側に対称的に位置し、それにより各前記電池ボックス本体の前記電池キャビティ内に保持される２つの前記電池本体が前記移植機本体の重心位置の両側に位置することを特徴とする請求項１に記載の移植機。
【請求項４】
前記電池ボックスは、前記電池ボックス本体に設けられ、かつ前記移植機本体の回路に導通接続される電池ボックス接続部を含み、前記電池は、前記電池本体に導通接続される電池接続部を含み、前記電池本体が前記電池ボックス本体の前記電池キャビティに設けられるとき、前記電池接続部及び前記電池ボックス接続部は導通接続されることを特徴とする請求項１に記載の移植機。
【請求項５】
前記電池ボックス接続部は、前記電池ボックス本体の底部に設けられ、前記電池接続部は、前記電池本体の第１端部に設けられ、前記電池本体が前記電池ボックス本体の前記電池キャビティに設けられるとき、前記電池本体の前記第１端部に設けられる前記電池接続部及び前記電池ボックス本体の底部に設けられる前記電池ボックス接続部は、自動的に導通されることを特徴とする請求項４に記載の移植機。
【請求項６】
前記電池接続部は、前記電池本体の前記第１端部の中部に設けられ、前記電池ボックス接続部は、前記電池ボックス本体の底部の中部に設けられることを特徴とする請求項５に記載の移植機。
【請求項７】
前記エネルギー供給部は、さらに、少なくとも１つのロック部材を含み、前記ロック部材は、前記電池ボックス本体に取り外し可能に設けられ、それにより前記電池本体が前記電池ボックス本体の前記電池キャビティに設置し、及び前記ロック部材が前記電池ボックス本体に設けられるとき、前記ロック部材は、前記電池キャビティ口を減少して前記電池本体が前記電池キャビティ口を介して前記電池ボックス本体の前記電池キャビティから離脱することを防止することを特徴とする請求項５に記載の移植機。
【請求項８】
前記ロック部材は、可動棒を含み、前記電池ボックス本体の両側には、それぞれ挿通孔が設けられ、各前記挿通孔は、それぞれ前記電池キャビティに連通し、前記可動棒は、各前記挿通孔に取り外し可能に挿入して保持され、前記可動棒で前記電池キャビティ口のサイズを減少し、それにより前記可動棒を介して前記電池本体が前記電池キャビティ口を介して前記電池ボックス本体の前記電池キャビティから離脱することを防止することを特徴とする請求項７に記載の移植機。
【請求項９】
前記ロック部材は、可動棒と少なくとも１つのロック素子を含み、前記ロック素子は前記電池本体に設けられ、かつ前記ロック素子には、それぞれピンホールが設けられ、前記電池ボックス本体の両側には、それぞれ挿通孔が設けられ、前記電池本体が前記電池ボックス本体の前記電池キャビティに保持されるとき、各前記ロック素子の各前記ピンホールは、それぞれ前記電池ボックス本体の前記挿通孔に対応し、前記可動棒が各前記ロック素子の前記ピンホール及び前記電池ボックス本体の各前記挿通孔に保持され、それにより前記電池本体が前記電池ボックス本体の前記電池キャビティに揺れるすることを防止することを特徴とする請求項７に記載の移植機。
【請求項１０】
前記電池ボックスは、カバーを含み、前記カバーは、前記電池ボックス本体に可動に設けられ、それにより前記カバーを介して前記電池ボックス本体の前記電池キャビティ口を密閉させることを特徴とする請求項４に記載の移植機。
【請求項１１】
移植機であって、
移植機本体と、
エネルギー供給部とを含み、
前記エネルギー供給部は、さらに、
少なくとも１つのロック部材と、
電池本体と電池接続部を含み、前記電池接続部が前記電池本体に設けられ、かつ前記電池接続部が前記電池本体に導通接続される少なくとも１つの電池と、
電池ボックス本体と電池ボックス接続部を含み、前記電池ボックス本体が前記移植機本体に設けられ、前記電池ボックス接続部が前記電池ボックス本体に設けられ、かつ前記電池ボックス接続部が前記移植機本体の回路に導通接続され、前記電池ボックス本体が電池キャビティ及び前記電池キャビティに連通する電池キャビティ口を含み、前記電池本体が前記電池キャビティ口を介して前記電池キャビティに分離可能に設けられ、かつ前記電池本体が前記電池キャビティに保持されるとき、前記電池接続部が前記電池ボックス接続部に導通接続され、前記ロック部材が前記電池ボックスに分離可能に設けられ、前記電池キャビティ口を減少して前記電池本体が前記電池キャビティ口を介して前記電池キャビティから離脱することを防止する少なくとも１つの電池ボックスと、を含むことを特徴とする移植機。
【請求項１２】
前記ロック部材は、可動部材を含み、前記電池ボックス本体は２つの挿通孔を有し、各前記挿通孔は、それぞれ、前記電池ボックス本体の両側に前記電池キャビティに連通し、前記可動部材は、前記電池ボックス本体の各前記挿通孔に分離可能に保持されることを特徴とする請求項１１に記載の移植機。
【請求項１３】
前記ロック部材は、ピンホールを有し、前記電池本体に設けられる少なくとも１つのロック素子を含み、前記電池本体が前記電池キャビティに保持されるとき、前記ピンホールは、前記挿通孔に対応し、前記可動部材は、前記ピンホール及び前記挿通孔に保持されることを特徴とする請求項１２に記載の移植機。
【請求項１４】
移植機であって、
移植機本体と、
エネルギー供給部と、を含み、
前記エネルギー供給部は、さらに、電池本体と電池接続部を含み、前記電池接続部が前記電池本体に設けられ、かつ前記電池接続部が前記電池本体に導通接続される少なくとも１つの電池と、
電池ボックス本体、電池ボックス接続部及びカバーを含み、前記電池ボックス本体が前記移植機本体に設けられ、前記電池ボックス接続部が前記電池ボックス本体に設けられ、かつ前記移植機本体の回路に導通接続され、前記電池ボックス本体が電池キャビティ及び前記電池キャビティに連通する電池キャビティ口を有し、前記電池本体が前記電池キャビティ口を介して前記電池キャビティに分離可能に設けられ、かつ前記電池本体が前記電池キャビティに保持されるとき、前記電池接続部が前記電池ボックス接続部に導通接続され、前記カバーが前記電池ボックス本体に可動に設けられ、それにより前記カバーで前記電池ボックス本体の前記電池キャビティ口を密閉させる少なくとも１つの電池ボックスと、を含むことを特徴とする移植機。
【請求項１５】
前記カバーは、前記電池ボックス本体に軸接続することを特徴とする請求項１４に記載の移植機。
【請求項１６】
前記電池ボックスは、さらに、前記カバーと前記電池本体との間に保持される弾性部品を含むことを特徴とする請求項１４又は１５に記載の移植機。
【請求項１７】
短絡防止な移植機であって、
固定部と、少なくとも１つの給電部とを含む移植機本体を含み、
各前記給電部は、前記移植機本体の回路に電気接続し、かつ前記固定部に設けられる導電部材と、
給電本体と通電部材を含み、前記通電部材が前記給電本体に電気接続し、前記給電本体が取付部を有し、前記通電部材が前記取付部に設けられる電源とを含み、
前記電源が前記固定部に取り付けられるとき、前記通電部材が前記導電部材に電気接続し、かつ前記通電部材及び前記導電部材が前記固定部と前記取付部との間に包覆されることを特徴とする短絡防止な移植機。
【請求項１８】
前記通電部材は、正極通電柱と負極通電柱を含み、前記取付部は、２つの収容溝を形成し、前記電源が前記固定部に取り付けられるとき、前記取付部における前記通電部材は、前記収容溝における前記導電部材に挿接されることを特徴とする請求項１７に記載の短絡防止な移植機。
【請求項１９】
前記取付部は、少なくとも１つの位置決めバンプを有し、前記固定部は少なくとも１つの位置決め溝を有し、前記電源が前記固定部に取りけられるとき、前記位置決めバンプは前記位置決め溝に挿接されることを特徴とする請求項１７に記載の短絡防止な移植機。
【請求項２０】
短絡防止な移植機であって、
少なくとも１つの給電部と、
少なくとも１つの蓋体と、
移植機本体とを含み、
前記移植機本体は、少なくとも１つの固定部、少なくとも１つの側壁、少なくとも１つの収容室及び少なくとも１つの開口を含み、前記側壁は前記固定部に延伸して前記固定部と前記側壁との間に前記収容室を形成し、前記側壁は前記収容室を連通する前記開口を区画し、前記給電部は前記開口を介して前記収容室に取り外し可能に取り付けられ、かつ前記収容室に前記移植機本体の回路に導通接続されることができ、前記蓋体は前記側壁に可動に設けられ、前記蓋体を介して前記開口を密閉させ、それにより導電液体が前記開口を介して前記収容室に進入することを防止することを特徴とする短絡防止な移植機。
【手続補正２】
【補正対象書類名】明細書
【補正対象項目名】００４９
【補正方法】変更
【補正の内容】
【００４９】
【図１】図１は、本発明による好適な実施例の電動移植機の斜視模式図である。
【図２Ａ】図２Ａは、本発明による上記好適な実施例の前記電動移植機の一変形実施形態の斜視模式図である。
【図２Ｂ】図２Ｂは、本発明による上記好適な実施例の前記電動移植機の側面模式図である。
【図３】図３は、本発明による上記好適な実施例の前記電動移植機の給電装置、収納本体及び移植機接続ユニットの関係の斜視模式図である。
【図４】図４は、本発明による上記好適な実施例の前記電動移植機の給電装置、収納本体及び移植機接続ユニットの関係の断面模式図である。
【図５Ａ】図５Ａは、本発明による上記好適な実施例の前記電動移植機の収納本体と移植機接続ユニットの組合せ状態のある視角の斜視模式図である。
【図５Ｂ】図５Ｂは、本発明による上記好適な実施例の前記電動移植機の収納本体と移植機接続ユニットの組合せ状態の別の視角の斜視模式図である。
【図６Ａ】図６Ａは、本発明による上記好適な実施例の前記電動移植機の給電装置のある視角の斜視模式図である。
【図６Ｂ】図６Ｂは、本発明による上記好適な実施例の前記電動移植機の給電装置の別の視角の斜視模式図である。
【図７Ａ】図７Ａは、本発明による上記好適な実施例の前記電動移植機の給電装置、収納本体及び移植機接続ユニットの断面模式図であり、給電装置が収納本体の収納空間に設けられる過程を模式的に示す。
【図７Ｂ】図７Ｂは、本発明による上記好適な実施例の前記電動移植機の給電装置、収納本体及び移植機接続ユニットの断面模式図であり、給電装置が収納本体の収納空間に設けられる過程を模式的に示す。
【図８Ａ】図８Ａは、本発明による上記好適な実施例の前記電動移植機の給電装置、収納本体及び移植機接続ユニットの断面模式図であり、給電装置が収納本体の収納空間から取り出される過程を模式的に示す。
【図８Ｂ】図８Ｂは、本発明による上記好適な実施例の前記電動移植機の給電装置、収納本体及び移植機接続ユニットの断面模式図であり、給電装置が収納本体の収納空間から取り出される過程を模式的に示す。
【図９】図９は、本発明による上記好適な実施例の前記電動移植機の給電装置、収納本体及び保持ユニットの関係の一変形例の断面模式図である。
【図１０】図１０は、本発明による上記好適な実施例の前記電動移植機の給電装置、収納本体及び保持ユニットの関係の上記変形実施形態の斜視模式図である。
【図１１】図１１は、本発明による上記好適な実施例の前記電動移植機の給電装置、収納本体及び保持ユニットの関係の別の変形実施形態の斜視模式図である。
【図１２】図１２は、本発明による上記好適な実施例の前記電動移植機の給電装置、収納本体及び保持ユニットの関係の上記変形実施形態の分解模式図である。
【図１３】図１３は、本発明による上記好適な実施例の前記電動移植機の給電装置、収納本体及び保持ユニットの関係の上記変形実施形態の断面模式図である。
【図１４Ａ】図１４Ａは、本発明による上記好適な実施例の前記電動移植機の保持部材がロックアップ状態からロック解除状態に切り替える過程の模式図である。
【図１４Ｂ】図１４Ｂは、本発明による上記好適な実施例の前記電動移植機の保持部材がロックアップ状態からロック解除状態に切り替える過程の模式図である。
【図１５Ａ】図１５Ａは、本発明による上記好適な実施例の前記電動移植機の保持部材がロック解除状態からロックアップ状態に切り替える過程の模式図である。
【図１５Ｂ】図１５Ｂは、本発明による上記好適な実施例の前記電動移植機の保持部材がロック解除状態からロックアップ状態に切り替える過程の模式図である。
【図１６Ａ】図１６Ａは、本発明による好適な実施例の移植機の斜視模式図である。
【図１６Ｂ】図１６Ｂは、本発明による別の好適な実施例の移植機の斜視模式図である。
【図１７】図１７は、本発明による上記好適な実施例の移植機の電池ボックス及び電池部位についての分解模式図である。
【図１８Ａ】図１８Ａは、本発明による上記好適な実施例の移植機の電池ボックス及び電池部位についての別の変形実施例の斜視模式図である。
【図１８Ｂ】図１８Ｂは、本発明による上記好適な実施例の移植機の電池ボックス及び電池部位についての別の変形実施例の斜視模式図である。
【図１９】図１９は、本発明による上記好適な実施例の移植機の電池ボックス及び電池部位についての別の変形実施例の斜視模式図である。
【図２０】図２０は、本発明による上記好適な実施例の移植機の電池ボックス及び電池部位についての別の変形実施例の斜視模式図である。
【図２１Ａ】図２１Ａは、本発明による上記好適な実施例の移植機の電池ボックス及び電池部位についての別の変形実施例の斜視模式図である。
【図２１Ｂ】図２１Ｂは、本発明による上記好適な実施例の移植機の電池ボックス及び電池部位についての別の変形実施例の斜視模式図である。
【図２２】図２２は、本発明の別の形態による短絡防止な移植機の斜視模式図である。
【図２３】図２３は、本発明の短絡防止な移植機の模式図である。
【図２４】図２４は、本発明の一実施例における短絡防止な移植機の断面図である。
【図２５】図２５は、本発明の第２実施例における短絡防止な移植機の一部模式図である。
【図２６】図２６は、本発明の第２実施例における短絡防止な移植機の一実施例の断面図である。
【図２７】図２７は、本発明の短絡防止な移植機の第１変形実施例の断面図である。
【図２８】図２８は、本発明の短絡防止な移植機の第２実施例の断面図である。
【国際調査報告】
2019534693.tif 000041
2019534693.tif 000042
2019534693.tif 000043
2019534693.tif 000044